(57)【要約】  本願の実施形態は、情報フィードバック方法および装置を提供し、通信分野に関する。方法は、伝送端が、ダイレクトリンク伝送リソースを取得する段階と、伝送端が、ダイレクトリンク伝送リソースを用いて第１直接通信データを受信端に送信する段階であって、ここで、第１直接通信データはフィードバック指示情報および送信方式指示情報を保持し、フィードバック指示情報は、第１直接通信データに対して受信フィードバックが実行される必要があるかを表示するために用いられ、送信方式指示情報は、第１直接通信データを送信する方式がユニキャスト、マルチキャスト、またはブロードキャストのうち少なくとも１つであることを表示するために用いられる、送信する段階と、第１直接通信データに対してフィードバックが実行される必要があることをフィードバック指示情報が表示する場合、伝送端が、ダイレクトリンクフィードバックリソースで受信端により送信された第２直接通信データを受信する段階であって、ここで、第２直接通信データはフィードバック情報を保持する、受信する段階とを含む。本願は、ダイレクトリンク伝送信頼性を改善することが可能で、リソーススケジューリングがより柔軟になることを可能にする。
2020508597.tif 000002
【特許請求の範囲】
【請求項１】
情報フィードバック方法であって、
伝送端が、ダイレクトリンク伝送リソースを取得する段階と、
前記伝送端が、前記ダイレクトリンク伝送リソースを用いて第１直接通信データを受信端に送信する段階であって、前記第１直接通信データはフィードバック指示情報および送信方式指示情報を保持し、前記フィードバック指示情報は、前記第１直接通信データに対して受信フィードバックが実行される必要があるかを表示するために用いられ、前記送信方式指示情報は、前記第１直接通信データを送信する方式がユニキャスト、マルチキャスト、およびブロードキャストのうち少なくとも１つであることを表示するために用いられる、送信する段階と、
前記第１直接通信データに対してフィードバックが実行される必要があることを前記フィードバック指示情報が表示する場合、伝送端が、ダイレクトリンクフィードバックリソースで前記受信端により送信された第２直接通信データを受信する段階であって、前記第２直接通信データはフィードバック情報を保持する、受信する段階と
を備える方法。
【請求項２】
前記第１直接通信データは、サービスデータがカプセル化された第１制御情報および第１媒体アクセス制御プロトコルデータユニットを含み、前記フィードバック指示情報および／または前記送信方式指示情報は、前記第１媒体アクセス制御プロトコルデータユニットまたは前記第１制御情報に保持される、
請求項１に記載の方法。
【請求項３】
前記第２直接通信データは、第２制御情報および／または第２媒体アクセス制御プロトコルデータユニットを含み、前記フィードバック情報は、前記第２媒体アクセス制御プロトコルデータユニットまたは前記第２制御情報に保持される、
請求項１または２に記載の方法。
【請求項４】
前記第１直接通信データはさらに、前記伝送端の現在のグループを識別するために用いられる第１の識別子を保持し、前記第１の識別子は、前記第１媒体アクセス制御プロトコルデータユニットまたは前記第１制御情報に保持される、請求項２または３に記載の方法。
【請求項５】
前記方法はさらに、前記伝送端が前記ダイレクトリンクフィードバックリソースを取得する段階を備える、
請求項１から４のいずれか一項に記載の方法。
【請求項６】
前記伝送端が、前記伝送端で、前記ダイレクトリンクフィードバックリソースを取得する前記段階は、
前記伝送端が、ネットワークデバイスから受信されるシステム情報または専用無線リソース制御シグナリングに基づいて、前記ダイレクトリンクフィードバックリソースを取得する段階と、
前記伝送端が、物理ダウンリンク制御チャネルで、前記ネットワークデバイスにより送信されるスケジューリングシグナリングを受信することで、前記ダイレクトリンクフィードバックリソースを取得する段階と、
前記伝送端が、前記ネットワークデバイスにより構成されまたは予め構成されたダイレクトリンクフィードバックリソースプールから、前記ダイレクトリンクフィードバックリソースを、自律的選択を通じて取得する段階と、
前記伝送端が、前記ダイレクトリンク伝送リソース、および前記ダイレクトリンク伝送リソースと前記ダイレクトリンクフィードバックリソースとの間の予め設定されたマッピング関係に基づいて、前記ダイレクトリンクフィードバックリソースを取得する段階とのうちいずれか１つの方式で行われる、
請求項５に記載の方法。
【請求項７】
前記第１直接通信データはさらに、前記ダイレクトリンクフィードバックリソースの時間周波数リソースを表示するために用いられるフィードバックリソース指示情報を保持する、請求項１から６のいずれか一項に記載の方法。
【請求項８】
前記第１直接通信データはさらに第２識別子を保持し、前記第２識別子は、前記伝送端の識別子または前記第１直接通信データの識別子であり、前記フィードバック情報は前記第２識別子を含む、請求項１から７のいずれか一項に記載の方法。
【請求項９】
情報フィードバック方法であって、
受信端が、ダイレクトリンク伝送リソースを用いて伝送端により送信された第１直接通信データを受信する段階であって、前記第１直接通信データは、フィードバック指示情報および送信方式指示情報を保持し、前記フィードバック指示情報は、前記第１直接通信データに対して受信フィードバックが実行される必要があるかを表示するために用いられ、前記送信方式指示情報は、前記第１直接通信データを送信する方式がユニキャスト、マルチキャスト、またはブロードキャストのうち少なくとも１つであることを表示するために用いられる、受信する段階と、
前記第１直接通信データに対してフィードバックが実行される必要があることを前記フィードバック指示情報が表示する場合、前記受信端が、ダイレクトリンクフィードバックリソースで、第２直接通信データを前記伝送端に送信する段階であって、前記第２直接通信データはフィードバック情報を保持する、送信する段階とを備える方法。
【請求項１０】
前記第１直接通信データは、サービスデータがカプセル化された第１制御情報および第１媒体アクセス制御プロトコルデータユニットを含み、前記フィードバック指示情報および／または前記送信方式指示情報は、前記第１媒体アクセス制御プロトコルデータユニットまたは前記第１制御情報で保持される、請求項９に記載の方法。
【請求項１１】
前記第２直接通信データは、第２制御情報および／または第２媒体アクセス制御プロトコルデータユニットを含み、前記フィードバック情報は、前記第２媒体アクセス制御プロトコルデータユニットまたは前記第２制御情報に保持される、請求項９または１０に記載の方法。
【請求項１２】
前記第１直接通信データはさらに、前記受信端の現在のグループを識別するために用いられる第１の識別子を保持し、前記受信端は、前記送信方式指示情報および前記第１の識別子に基づいて前記第１直接通信データを受信する、請求項１０または１１に記載の方法。
【請求項１３】
前記第１の識別子は、前記第１媒体アクセス制御プロトコルデータユニットまたは前記第１制御情報に保持される、請求項１２に記載の方法。
【請求項１４】
前記方法はさらに、前記受信端が前記ダイレクトリンクフィードバックリソースを取得する段階を備える、
請求項９から１３のいずれか一項に記載の方法。
【請求項１５】
前記受信端が、前記受信端で、前記ダイレクトリンクフィードバックリソースを取得する前記段階は、
前記受信端が、ネットワークデバイスからシステム情報または専用無線リソース制御シグナリングを受信することにより前記ダイレクトリンクフィードバックリソースを取得する段階と、
前記受信端が、物理ダウンリンク制御チャネルで前記ネットワークデバイスにより送信されたスケジューリングシグナリングを受信することにより前記ダイレクトリンクフィードバックリソースを取得する段階と、
前記受信端が、前記ネットワークデバイスにより構成されまたは予め構成されたダイレクトリンクフィードバックリソースプールから前記ダイレクトリンクフィードバックリソースを、自律的選択を通じて取得する段階と、
前記受信端が、前記ダイレクトリンク伝送リソース、および前記ダイレクトリンク伝送リソースと前記ダイレクトリンクフィードバックリソースとの間の予め設定されたマッピング関係に基づいて前記ダイレクトリンクフィードバックリソースを取得する段階と、
前記受信端が、前記第１直接通信データに保持されるフィードバックリソース指示情報に基づいて前記ダイレクトリンクフィードバックリソースを取得する段階であって、前記フィードバックリソース指示情報は、前記ダイレクトリンクフィードバックリソースの時間周波数リソースを表示するために用いられる、取得する段階と
のうちいずれか１つの方式で行われる、請求項１４に記載の方法。
【請求項１６】
前記第１直接通信データはさらに第２識別子を保持し、前記第２識別子は前記伝送端の識別子または前記第１直接通信データの識別子であり、前記フィードバック情報は前記第２識別子を含む
請求項９から１５のいずれか一項に記載の方法。
【請求項１７】
情報フィードバック方法であって、
ネットワークデバイスが、ダイレクトリンクフィードバックリソースの構成情報を生成する段階であって、前記ダイレクトリンクフィードバックリソースは、受信端が第１直接通信データを受信した後に、前記受信端が第２直接通信データを送信するために用いられ、前記第２直接通信データはフィードバック情報を保持し、前記第１直接通信データはフィードバック指示情報および送信方式指示情報を保持し、前記フィードバック指示情報は、前記第１直接通信データに対して受信フィードバックが実行される必要があるかを表示するために用いられ、前記送信方式指示情報は、前記第１直接通信データを送信する方式がユニキャスト、マルチキャスト、またはブロードキャストのうち少なくとも１つであることを表示するために用いられる、生成する段階と、
前記ネットワークデバイスが、前記ダイレクトリンクフィードバックリソースの前記構成情報を前記受信端または伝送端に送信する段階とを備える、
方法。
【請求項１８】
前記第１直接通信データは、サービスデータがカプセル化された第１制御情報および第１媒体アクセス制御プロトコルデータユニットを含み、前記フィードバック指示情報および／または前記送信方式指示情報は、前記第１媒体アクセス制御プロトコルデータユニットまたは前記第１制御情報に保持される、請求項１７に記載の方法。
【請求項１９】
前記第２直接通信データは、第２制御情報および／または第２媒体アクセス制御プロトコルデータユニットを含み、前記フィードバック情報は、前記第２媒体アクセス制御プロトコルデータユニットまたは前記第２制御情報に保持される、請求項１７または１８に記載の方法。
【請求項２０】
前記ネットワークデバイスが、前記ダイレクトリンクフィードバックリソースの前記構成情報を前記受信端または伝送端に送信する前記段階はさらに、
前記ネットワークデバイスが、システム情報または専用無線リソース制御シグナリングを用いて、前記ダイレクトリンクフィードバックリソースの前記構成情報を、前記受信端または前記伝送端に送信する段階、または
前記ネットワークデバイスが、物理ダウンリンク制御チャネルで、前記ダイレクトリンクフィードバックリソースの前記構成情報を、前記受信端または前記伝送端に送信する段階を備える、請求項１７から１９のいずれか一項に記載の方法。
【請求項２１】
伝送端であって、
ダイレクトリンク伝送リソースを取得するように構成されている処理ユニットと、
前記ダイレクトリンク伝送リソースを用いて第１直接通信データを受信端に送信するように構成されている送信ユニットであって、前記第１直接通信データはフィードバック指示情報および送信方式指示情報を保持し、前記フィードバック指示情報は、前記第１直接通信データに対して受信フィードバックが実行される必要があるかを表示するために用いられ、前記送信方式指示情報は、前記第１直接通信データを送信する方式がユニキャスト、マルチキャスト、またはブロードキャストのうち少なくとも１つであることを表示するために用いられる、送信ユニットと、
前記第１直接通信データに対してフィードバックが実行される必要があることを前記フィードバック指示情報が表示する場合、ダイレクトリンクフィードバックリソースで前記受信端により送信された第２直接通信データを受信するように構成されている受信ユニットであって、前記第２直接通信データはフィードバック情報を保持する受信ユニットと
を備える伝送端。
【請求項２２】
前記第１直接通信データは、サービスデータがカプセル化された第１制御情報および第１媒体アクセス制御プロトコルデータユニットを含み、前記フィードバック指示情報および／または前記送信方式指示情報は、前記第１媒体アクセス制御プロトコルデータユニットまたは前記第１制御情報に保持される、請求項２１に記載の伝送端。
【請求項２３】
前記第２直接通信データは、第２制御情報および／または第２媒体アクセス制御プロトコルデータユニットを含み、前記フィードバック情報は、前記第２媒体アクセス制御プロトコルデータユニットまたは前記第２制御情報に保持される、請求項２１または２２に記載の伝送端。
【請求項２４】
前記第１直接通信データはさらに、前記伝送端の現在のグループを識別するために用いられる第１の識別子を保持し、前記第１の識別子は、前記第１媒体アクセス制御プロトコルデータユニットまたは前記第１制御情報に保持される、請求項２２または２３に記載の伝送端。
【請求項２５】
前記処理ユニットはさらに、前記ダイレクトリンクフィードバックリソースを取得するように構成されている、請求項２１から２４のいずれか一項に記載の伝送端。
【請求項２６】
前記処理ユニットはさらに、
前記受信ユニットを用いてネットワークデバイスからシステム情報または専用無線リソース制御シグナリングを受信することにより、前記ダイレクトリンクフィードバックリソースを取得する段階と、
物理ダウンリンク制御チャネルで前記ネットワークデバイスにより送信されたスケジューリングシグナリングを、前記受信ユニットを用いて受信することにより、前記ダイレクトリンクフィードバックリソースを取得する段階と、
前記ネットワークデバイスにより構成されまたは予め構成されたダイレクトリンクフィードバックリソースプールからの前記ダイレクトリンクフィードバックリソースを、自律的選択を通じて取得する段階と、
前記ダイレクトリンク伝送リソース、および前記ダイレクトリンク伝送リソースと前記ダイレクトリンクフィードバックリソースとの間の予め設定されたマッピング関係に基づいて、前記ダイレクトリンクフィードバックリソースを取得する段階と
のうちいずれか１つの方式で前記ダイレクトリンクフィードバックリソースを取得するように構成されている、請求項２５に記載の伝送端。
【請求項２７】
前記第１直接通信データはさらに、前記ダイレクトリンクフィードバックリソースの時間周波数リソースを表示するために用いられるフィードバックリソース指示情報を保持する、請求項２１から２６のいずれか一項に記載の伝送端。
【請求項２８】
前記第１直接通信データはさらに第２識別子を保持し、前記第２識別子は、前記伝送端の識別子または前記直接通信データの識別子であり、前記フィードバック情報は前記第２識別子を含む、請求項２１から２７のいずれか一項に記載の伝送端。
【請求項２９】
受信端であって、
ダイレクトリンク伝送リソースを用いて伝送端により送信される第１直接通信データを受信するように構成されている受信ユニットであって、前記第１直接通信データは、フィードバック指示情報および送信方式指示情報を保持し、前記フィードバック指示情報は、前記第１直接通信データに対して受信フィードバックが実行される必要があるかを表示するために用いられ、前記送信方式指示情報は、前記第１直接通信データを送信する方式がユニキャスト、マルチキャスト、またはブロードキャストのうち少なくとも１つであることを表示するために用いられる、受信ユニットと、
前記第１直接通信データに対してフィードバックが実行される必要があることを前記フィードバック指示情報が表示する場合、ダイレクトリンクフィードバックリソースで、第２直接通信データを前記伝送端に送信するように構成されている送信ユニットであって、前記第２直接通信データはフィードバック情報を保持する、送信ユニットと
を備える受信端。
【請求項３０】
前記第１直接通信データは、サービスデータがカプセル化された第１制御情報および第１媒体アクセス制御プロトコルデータユニットを含み、前記フィードバック指示情報および／または前記送信方式指示情報は、前記第１媒体アクセス制御プロトコルデータユニットまたは前記第１制御情報に保持される、請求項２９に記載の受信端。
【請求項３１】
前記第２直接通信データは、第２制御情報および／または第２媒体アクセス制御プロトコルデータユニットを含み、前記フィードバック情報は、前記第２媒体アクセス制御プロトコルデータユニットまたは前記第２制御情報に保持される、請求項２９または３０に記載の受信端。
【請求項３２】
前記第１直接通信データはさらに、前記受信端の現在のグループを識別するために用いられる第１の識別子を保持し、前記受信ユニットは、前記送信方式指示情報および前記第１の識別子に基づいて前記第１直接通信データを受信する、請求項３０または３１に記載の受信端。
【請求項３３】
前記第１の識別子は、前記第１媒体アクセス制御プロトコルデータユニットまたは前記第１制御情報に保持される、請求項３２に記載の受信端。
【請求項３４】
前記受信端はさらに、前記ダイレクトリンクフィードバックリソースを取得するように構成されている処理ユニットを備える、請求項２９から３３のいずれか一項に記載の受信端。
【請求項３５】
前記処理ユニットはさらに、
前記受信ユニットを用いてネットワークデバイスからシステム情報または専用無線リソース制御シグナリングを受信することにより前記ダイレクトリンクフィードバックリソースを取得する段階と、
物理ダウンリンク制御チャネルで前記ネットワークデバイスにより送信されたスケジューリングシグナリングを、前記受信ユニットを用いて受信することにより前記ダイレクトリンクフィードバックリソースを取得する段階と、
前記ネットワークデバイスにより構成されまたは予め構成されたダイレクトリンクフィードバックリソースプールから前記ダイレクトリンクフィードバックリソースを、自律的選択を通じて取得する段階と、
前記ダイレクトリンク伝送リソース、および前記ダイレクトリンク伝送リソースと前記ダイレクトリンクフィードバックリソースとの間の予め設定されたマッピング関係に基づいて前記ダイレクトリンクフィードバックリソースを取得する段階と、
前記第１直接通信データに保持されるフィードバックリソース指示情報に基づいて前記ダイレクトリンクフィードバックリソースを取得する段階であって、前記フィードバックリソース指示情報は、前記ダイレクトリンクフィードバックリソースの時間周波数リソースを表示するために用いられる、取得する段階と
のうちいずれか１つの方式で前記ダイレクトリンクフィードバックリソースを取得するように構成されている、請求項３４に記載の受信端。
【請求項３６】
前記第１直接通信データはさらに第２識別子を保持し、前記第２識別子は、前記伝送端の識別子または前記第１直接通信データの識別子であり、前記フィードバック情報は前記第２識別子を含む、請求項２９から３５のいずれか一項に記載の受信端。
【請求項３７】
ネットワークデバイスであって、
ダイレクトリンクフィードバックリソースの構成情報を生成するように構成されている処理ユニットであって、前記ダイレクトリンクフィードバックリソースは、受信端が第１直接通信データを受信した後に、前記受信端が第２直接通信データを送信するために用いられ、前記第２通信データはフィードバック情報を保持し、前記第１直接通信データはフィードバック指示情報および送信方式指示情報を保持し、前記フィードバック指示情報は、前記第１直接通信データに対して受信フィードバックが実行される必要があるかを表示するために用いられ、前記送信方式指示情報は、前記第１直接通信データを送信する方式がユニキャスト、マルチキャスト、またはブロードキャストのうち少なくとも１つであることを表示するために用いられる、処理ユニットと、
前記ダイレクトリンクフィードバックリソースの前記構成情報を前記受信端または伝送端に送信するように構成されている送信ユニットと
を備えるネットワークデバイス。
【請求項３８】
前記第１直接通信データは、サービスデータがカプセル化された第１制御情報および第１媒体アクセス制御プロトコルデータユニットを含み、前記フィードバック指示情報および／または前記送信方式指示情報は、前記第１媒体アクセス制御プロトコルデータユニットまたは前記第１制御情報に保持される、請求項３７に記載のネットワークデバイス。
【請求項３９】
前記第２直接通信データは、第２制御情報および／または第２媒体アクセス制御プロトコルデータユニットを含み、前記フィードバック情報は、前記第２媒体アクセス制御プロトコルデータユニットまたは前記第２制御情報に保持される、請求項３７または３８に記載のネットワークデバイス。
【請求項４０】
前記送信ユニットはさらに、システム情報または専用無線リソース制御シグナリングを用いて、前記ダイレクトリンクフィードバックリソースの前記構成情報を、前記受信端または前記伝送端に送信するように構成されている、または
前記送信ユニットはさらに、物理ダウンリンク制御チャネルで、前記ダイレクトリンクフィードバックリソースの前記構成情報を、前記受信端または前記伝送端に送信するように構成されている
請求項３７から３９のいずれか一項に記載のネットワークデバイス。
【請求項４１】
コンピュータで実行される場合、前記コンピュータが請求項１から２０のいずれか一項に記載の方法を実行することを可能にする命令を備える、コンピュータ可読記憶媒体。
【発明の詳細な説明】
【技術分野】
【０００１】
本発明は、通信分野、特に情報フィードバック方法および装置に関する。
【背景技術】
【０００２】
社会が絶え間なく発展するにつれ、自動車は次第に普及している。運転は旅行を簡便にしながら、ある程度は人間社会に悪影響を与える。車両の急速な増加は、都市交通の渋滞、頻繁な交通事故、および環境悪化のような一連の問題を招く。個人的安全、輸送および旅行の効率、環境保護、および経済的効果のような複数の態様の観点から、改善された高度道路交通システム（Ｉｎｔｅｌｌｉｇｅｎｔ  Ｔｒａｎｓｐｏｒｔａｔｉｏｎ  Ｓｙｓｔｅｍ、ＩＴＳ）が必要となる。
【０００３】
現在、車両はビークルツービークル（Ｖｅｈｉｃｌｅ  ｔｏ  Ｖｅｈｉｃｌｅ、Ｖ２Ｖ）通信、またはビークルツーインフラストラクチャ（Ｖｅｈｉｃｌｅ  ｔｏ  Ｉｎｆｒａｓｔｒｕｃｔｕｒｅ、Ｖ２Ｉ）通信、またはビークルツーペデストリアン（Ｖｅｈｉｃｌｅ  ｔｏ  Ｐｅｄｅｓｔｒｉａｎ、Ｖ２Ｐ）通信、またはビークルツーネットワーク（Ｖｅｈｉｃｌｅ  ｔｏ  Ｎｅｔｗｏｒｋ、Ｖ２Ｎ）通信を通じて、道路状況情報を取得するか情報サービスをすぐに受信し得る。これらの通信方式は、Ｖ２Ｘ通信（ここで、Ｘは任意の対象を表示する）として総じて称されてよい。最も一般的なＶ２ＶおよびＶ２Ｉが例として用いられる。Ｖ２Ｖ通信を実行する場合、車両は、車両の速度、運転方向、特定の位置、および非常ブレーキを踏んだか否かといった情報を周辺の車両にブロードキャストしてよい。ドライバは、これらのタイプの情報を取得することにより、視野外の交通状態をより良好に感知し、危険を予め判断し避けることができる。Ｖ２Ｉ通信においては、上述の安全情報の交換に加えて、インフラストラクチャはさらに、様々なサービス情報およびデータネットワークアクセスを車両に提供してよく、自動料金収受、および車載用エンターテインメントのような機能は全て、交通インテリジェンスを大幅に改善する。Ｖ２Ｘ通信に用いられるネットワークは、インターネットオブビークルと称される。
【０００４】
車両隊列走行（Ｐｌａｔｏｏｎｉｎｇ）シナリオは、Ｖ２Ｘにおける典型的なユーザシナリオであり、複数の車両が隊列走行されて車両隊列を形成し、制御情報およびデータ情報を交換することにより車両間で比較的に短い距離が維持されることを意味する。隊列における先頭車両は、車両隊列のヘッドノードと称される。ヘッドノードは、車両隊列全体の速度、方向等を制御することを担当し、ヘッドノードは他の車両に情報を送信して、車両隊列全体に接近した隊列走行および走行を制御する。隊列における他の車両も、自らの位置、方向、状況、および加減速の意図のような情報を共有する必要があり、すなわち周辺車両にＶ２Ｘ情報を送信する必要がある。車両隊列走行技術は、エネルギー消費を効果的に低減させ得る。加えて、車両隊列における先頭車両以外の他の車両は、自律運転または人の補助により運転されてよく、これは人件費を効果的に低減させ得る。車両隊列における車両間には比較的に短い距離が存在するので、衝突を避けるために、Ｖ２Ｘ情報伝送周波数および信頼性に対する要件は非常に高い。
【発明の概要】
【０００５】
本発明の実施形態は情報フィードバック方法および装置を提供し、ダイレクトリンク伝送信頼性を改善させ、リソーススケジューリングがより柔軟になることを可能にする。
【０００６】
第１の態様によると、本発明の実施形態は、伝送端が、ダイレクトリンク伝送リソースを取得する段階と、伝送端が、ダイレクトリンク伝送リソースを用いて第１直接通信データを受信端に送信する段階であって、ここで、第１直接通信データはフィードバック指示情報および送信方式指示情報を保持し、フィードバック指示情報は、第１直接通信データに対して受信フィードバックが実行される必要があるかを示すために用いられ、送信方式指示情報は、第１直接通信データを送信する方式がユニキャスト、マルチキャスト、またはブロードキャストのうち少なくとも１つであることを表示するために用いられる、送信する段階と、第１直接通信データに対してフィードバックが実行される必要があることをフィードバック指示情報が表示する場合、伝送端が、ダイレクトリンクフィードバックリソースで受信端により送信された第２直接通信データを受信する段階であって、ここで、第２直接通信データはフィードバック情報を保持する、受信する段階とを含む情報フィードバック方法を提供する。
【０００７】
本願のこの実施形態において、伝送端はネットワークデバイスからダイレクトリンク伝送リソースを取得し、伝送リソースを用いて第１直接通信データを送信する。第１直接通信データは伝送フィードバック指示を保持し、その結果、フィードバックが必要とされる場合、受信端は、伝送端または受信端により取得されるダイレクトリンクフィードバックリソースで、フィードバック情報を保持する第２直接通信データを送信する。従って、フィードバックは伝送信頼性を改善させる。
【０００８】
第１の態様の可能な実装において、第１直接通信データは、サービスデータがカプセル化された第１制御情報および第１媒体アクセス制御プロトコルデータユニットを含み、フィードバック指示情報および／または送信方式指示情報は、第１媒体アクセス制御プロトコルデータユニットまたは第１制御情報に保持される。
【０００９】
第１の態様の可能な実装において、第２直接通信データは、第２制御情報および／または第２媒体アクセス制御プロトコルデータユニットを含み、フィードバック情報は、第２媒体アクセス制御プロトコルデータユニットまたは第２制御情報に保持される。
【００１０】
第１の態様の可能な実装において、第１直接通信データはさらに、伝送端の現在のグループを識別するために用いられる第１の識別子を保持し、第１の識別子は、媒体アクセス制御プロトコルデータユニットまたは制御情報に保持される。
【００１１】
第１の態様の可能な実装において、方法はさらに、伝送端がダイレクトリンクフィードバックリソースを取得する段階を含む。
【００１２】
第１の態様の可能な実装において、伝送端がダイレクトリンクフィードバックリソースを取得する段階は、伝送端が、ネットワークデバイスから受信されるシステム情報または専用無線リソース制御シグナリングに基づいて、ダイレクトリンクフィードバックリソースを取得する段階と、伝送端が、物理ダウンリンク制御チャネルで、ネットワークデバイスにより送信されたスケジューリングシグナリングを受信することで、ダイレクトリンクフィードバックリソースを取得する段階と、伝送端が、ネットワークデバイスにより構成されまたは予め構成されたダイレクトリンクフィードバックリソースプールから、ダイレクトリンクフィードバックリソースを、自律的選択を通じて取得する段階と、伝送端が、ダイレクトリンク伝送リソース、およびダイレクトリンク伝送リソースとダイレクトリンクフィードバックリソースとの間の予め設定されたマッピング関係に基づいて、ダイレクトリンクフィードバックリソースを取得する段階とによる方式のうちいずれか１つで行われる。
【００１３】
第１の態様の可能な実装において、第１直接通信データはさらに、ダイレクトリンクフィードバックリソースの時間周波数リソースを表示するために用いられるフィードバックリソース指示情報を保持する。
【００１４】
第１の態様の可能な実装において、第１直接通信データはさらに第２識別子を保持し、第２識別子は、伝送端の識別子または第１直接通信データの識別子であり、フィードバック情報は第２識別子を含む。
【００１５】
第２の態様によると、本願は、情報フィードバック方法を提供し、当該方法は、受信端が、ダイレクトリンク伝送リソースを用いて伝送端により送信された第１直接通信データを受信する段階であって、ここで、第１直接通信データは、フィードバック指示情報および送信方式指示情報を保持し、フィードバック指示情報は、第１直接通信データに対して受信フィードバックが実行される必要があるかを表示するために用いられ、送信方式指示情報は、第１直接通信データを送信する方式がユニキャスト、マルチキャスト、またはブロードキャストのうち少なくとも１つであることを表示するために用いられる、受信する段階と、第１直接通信データに対してフィードバックが実行される必要があることをフィードバック指示情報が表示する場合、受信端が、ダイレクトリンクフィードバックリソースで、第２直接通信データを伝送端に送信する段階であって、ここで、第２直接通信データはフィードバック情報を保持する、送信する段階とを含む。
【００１６】
第２の態様の可能な実装において、方法はさらに、受信端がダイレクトリンクフィードバックリソースを取得する段階を含む。
【００１７】
任意選択的に、受信端がダイレクトリンクフィードバックリソースを取得する段階は、受信端が、ネットワークデバイスからシステム情報または専用無線リソース制御シグナリングを受信することによりダイレクトリンクフィードバックリソースを取得する段階と、受信端が、物理ダウンリンク制御チャネルで、ネットワークデバイスにより送信されたスケジューリングシグナリングを受信することによりダイレクトリンクフィードバックリソースを取得する段階と、受信端が、ネットワークデバイスにより構成されまたは予め構成されたダイレクトリンクフィードバックリソースプールからダイレクトリンクフィードバックリソースを、自律的選択を通じて取得する段階と、受信端が、ダイレクトリンク伝送リソース、およびダイレクトリンク伝送リソースとダイレクトリンクフィードバックリソースとの間の予め設定されたマッピング関係に基づいてダイレクトリンクフィードバックリソースを取得する段階と、受信端が、第１直接通信データに保持されるフィードバックリソース指示情報に基づいてダイレクトリンクフィードバックリソースを取得する段階であって、ここで、フィードバックリソース指示情報は、ダイレクトリンクフィードバックリソースの時間周波数リソースを表示するために用いられる、取得する段階とによる方式のうちいずれか１つで行われる。
【００１８】
第３の態様によると、本願は情報フィードバック方法を提供し、当該方法は、ネットワークデバイスが、ダイレクトリンクフィードバックリソースの構成情報を生成する段階であって、ここで、ダイレクトリンクフィードバックリソースは、受信端が第１直接通信データを受信した後に、受信端が第２直接通信データを送信するために用いられ、第２直接通信データはフィードバック情報を保持し、第１直接通信データはフィードバック指示情報および送信方式指示情報を保持し、フィードバック指示情報は、第１直接通信データに対して受信フィードバックが実行される必要があるかを表示するために用いられ、送信方式指示情報は、第１直接通信データを送信する方式がユニキャスト、マルチキャスト、またはブロードキャストのうち少なくとも１つであることを表示するために用いられる、生成する段階と、ネットワークデバイスが、ダイレクトリンクフィードバックリソースの構成情報とを受信端または伝送端に送信する段階を含む。
【００１９】
第３の態様の可能な実装において、ネットワークデバイスが、ダイレクトリンクフィードバックリソースの構成情報を受信端または伝送端に送信する段階はさらに、ネットワークデバイスが、システム情報または専用無線リソース制御シグナリングを用いて、ダイレクトリンクフィードバックリソースの構成情報を、受信端または伝送端に送信する段階、またはネットワークデバイスが、物理ダウンリンク制御チャネルで、ダイレクトリンクフィードバックリソースの構成情報を、受信端または伝送端に送信する段階を含む。
【００２０】
第４の態様によると、本願は伝送端を提供する。伝送端は、上述の方法の実施において伝送端の動作を実行する機能を有する。機能は、ハードウェアにより実装されてよく、または、対応するソフトウェアを実行するハードウェアにより実装されてよい。ハードウェアまたはソフトウェアは、上述の機能に対応する１つまたは複数のモジュールを含む。
【００２１】
第５の態様によると、本願は受信端を提供する。受信端は、上述の方法の実施における受信端の動作を実行する機能を有する。機能はハードウェアにより実装されてよく、または、対応するソフトウェアを実行するハードウェアにより実装されてよい。ハードウェアまたはソフトウェアは、上述の機能に対応する１つまたは複数のモジュールを含む。
【００２２】
第６の態様によると、本願はネットワークデバイスを提供する。ネットワークデバイスは、上述の方法の実施におけるネットワークデバイスの動作を実行する機能を有する。機能はハードウェアにより実装されてよく、または、対応するソフトウェアを実行するハードウェアにより実装されてよい。ハードウェアまたはソフトウェアは、上述の機能に対応する１つまたは複数のモジュールを含む。
【００２３】
第７の態様によると、本願は、データ伝送端または受信端またはネットワークデバイスにより用いられるコンピュータソフトウェア命令を記憶するように構成されているコンピュータ可読記憶媒体を提供し、ここで、コンピュータソフトウェア命令は、上述の態様を実行するように設計されているプログラムを含む。
【００２４】
従来技術と比較すると、本願は情報フィードバック方法および装置を提供する。直接通信データは伝送フィードバック指示を保持し、その結果、フィードバックが必要とされる場合、受信端は、ダイレクトリンクフィードバックリソースでフィードバック情報を送信し、それにより伝送信頼性が改善される。
【図面の簡単な説明】
【００２５】
【図１】本発明の実施形態に係る直接通信サービスの概略的アーキテクチャ図である。
【００２６】
【図２】本発明の実施形態に係るデータ伝送方法のフローチャートである。
【００２７】
【図３】本発明の実施形態に係る伝送端の概略構造図である。
【００２８】
【図４】本発明の実施形態に係る別の伝送端の概略構造図である。
【００２９】
【図５】本発明の実施形態に係る受信端の概略構造図である。
【００３０】
【図６】本発明の実施形態に係る別の受信端の概略構造図である。
【００３１】
【図７】本発明の実施形態に係るネットワークデバイスの概略構造図である。
【００３２】
【図８】本発明の実施形態に係る別のネットワークデバイスの概略構造図である。
【発明を実施するための形態】
【００３３】
本発明の実施形態に言及される端末デバイスは、音声および／またはデータ接続性をユーザに提供するデバイス、無線接続機能を有するハンドヘルドデバイス、または無線モデムに接続された別の処理デバイスであってよい。無線端末は、無線アクセスネットワーク（Ｒａｄｉｏ  Ａｃｃｅｓｓ  Ｎｅｔｗｏｒｋ、ＲＡＮ）を通じて、１つまたは複数のコアネットワークと通信してよい。無線端末は、携帯電話（「セルラ」電話とも称される）、のような移動端末、および移動端末を有するコンピュータであってよく、例えば、無線アクセスネットワークと音声および／またはデータを交換する、ポータブル、ポケットサイズ、ハンドヘルド、コンピュータ内蔵型または車載型モバイル装置であってよい。例えば、それはパーソナル通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話機、セッション開始プロトコル（ＳＩＰ）電話、無線ローカルループ（Ｗｉｒｅｌｅｓｓ  Ｌｏｃａｌ  Ｌｏｏｐ、ＷＬＬ）局、およびパーソナルデジタルアシスタント（Ｐｅｒｓｏｎａｌ  Ｄｉｇｉｔａｌ  Ａｓｓｉｓｔａｎｔ、ＰＤＡ）のようなデバイスであってよい。無線端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）と称されてよい。
【００３４】
本発明の実施形態におけるネットワークデバイス（例えば、アクセスポイント）は、アクセスネットワークで、エアインタフェースにて１つまたは複数のセクタを用いて無線端末と通信するデバイスであってよい。ネットワークデバイスは、受信された無線フレームとＩＰパケットとの間の相互変換を実行し、無線端末と、アクセスネットワークの残りの部分との間のルータとして機能を果たすように構成されてよく、ここで、アクセスネットワークの残りの部分は、インターネットプロトコル（ＩＰ）ネットワークを含んでよい。ネットワークデバイスは、エアインタフェースの属性管理を調整してよい。例えば、ネットワークデバイスは、ＧＳＭ（登録商標）またはＣＤＭＡにおける基地トランシーバ局（ＢＴＳ、 Ｂａｓｅ  Ｔｒａｎｓｃｅｉｖｅｒ  Ｓｔａｔｉｏｎ）であってよく、ＷＣＤＭＡ（登録商標）におけるノードＢ（ＮｏｄｅＢ）であってよく、またはＬＴＥにおける発展型ノードＢ（ｅＮＢ、またはｅ‐ＮｏｄｅＢ、ｅｖｏｌｖｅｄ  ＮｏｄｅＢ）であってよく、本願において限定されない。
【００３５】
現在、ＬＴＥは無線通信技術の主流であり、直接通信サービスを担うために用いられよい。直接通信は、Ｖ２Ｘを含むがそれに限定されない。直接通信メッセージは、ネットワークデバイスによる転送を通じて送信されてよく、または、直接通信方式で端末により送信されてよい。ネットワークデバイスを用いることなく、端末が端末と直接通信する通信方式は、直接通信と称される。例えば、図１は直接通信サービスの概略的アーキテクチャ図である。図１のＡは、直接通信方式で、端末により直接通信メッセージを伝送する概略的アーキテクチャ図である。図１のＢは、ネットワークデバイスによる転送を通じて直接通信メッセージを伝送する概略的アーキテクチャ図である。
【００３６】
本願は例としてＬＴＥシステムにおけるＶ２Ｘサービスを用いて説明されるが、当業者であれば、本願はＬＴＥシステムにおけるＶ２Ｘサービスにのみ適用可能なわけではなく、別の直接通信サービスにも適用可能であることが分かるはずである。
【００３７】
従来技術の場合、図１のＡに示されるように、端末により用いられる直接通信方式では、端末により取得される伝送リソースは、ネットワークデバイスにより割り当てられてよく、または、伝送リソースプールから自律的に選択されてよい。自律的選択方式では、端末が、データを伝送するために用いられ得る伝送リソースプールの構成情報を予め取得する。データを生成する場合、端末は、送信のために伝送リソースプールからリソースを自律的に選択する必要がある。ネットワークデバイスが伝送リソースを割り当てるか、または端末が伝送リソースプールから伝送リソースを自律的に選択するかに関わらず、端末は、取得された伝送リソースを用いて、Ｖ２Ｘメッセージをブロードキャスト方式で送信し、同じＶ２Ｘメッセージを最大２回再送信する。
【００３８】
ブロードキャスト方式、および限られた再伝送量のため、信頼性を保証することができない。特に、自律的選択方式では、複数の近隣端末が、データを送信するために伝送リソースプールから同じリソースを選択する場合、伝送衝突が発生し、ユーザの数またはサービス密度が増加することにつれ、衝突率が増加する。高密度サービスシナリオの場合、伝送衝突はシステム性能に強い影響を及ぼし、サービス密度が増加することにつれ、信頼性が減少する。その結果、比較的に高い信頼性要件を有する車両隊列走行のようなＶ２Ｘサービスの伝送要件は、満されることができない。
【００３９】
上述の技術的問題を解決するために、ある態様によると、本発明の実施形態は情報フィードバック方法を提供する。図２に示されるように、情報フィードバック方法は、図１のＡに示されるネットワークアーキテクチャに適用されてよい。図１のＡに示されるように、左の車両は伝送端であってよく、右の車両は受信端であってよい。または、左の車両が受信端であってよく、右の車両が伝送端であってよい。方法は、以下の段階を含む。
【００４０】
段階２０１：ネットワークデバイスは、ダイレクトリンク伝送リソースおよびダイレクトリンクフィードバックリソースの構成情報を生成する。
【００４１】
ダイレクトリンク伝送リソースは、第１直接通信データ（例えば、Ｖ２Ｘデータ）を転送するために用いられ、ダイレクトリンクフィードバックリソースは、端末が第１直接通信データを受信した後に端末により送信される第２直接通信データを受信するために用いられる。第２直接通信データはフィードバック情報を保持する。ダイレクトリンク伝送リソースは、データ伝送リソースおよび制御情報伝送リソースを含む。データ伝送リソースは、直接通信データのサービスデータを伝送するために用いられ、制御情報伝送リソースは、直接通信データのダイレクトリンク制御情報を伝送するために用いられる。ダイレクトリンク制御情報は、データ伝送リソースの時間周波数リソース位置、並びに対応する変調および符号スキームのような情報を含む。
【００４２】
任意選択的に、第１直接通信データは、サービスデータがカプセル化された第１制御情報および第１媒体アクセス制御プロトコルデータユニットを含む。第２直接通信データは、第２制御情報および／または第２媒体アクセス制御プロトコルデータユニットを含む。
【００４３】
段階２０２：伝送端はダイレクトリンク伝送リソースを取得する。
【００４４】
任意選択的に、伝送端は、ネットワークデバイスによる動的割り当てまたは半静的割り当てを通じてダイレクトリンク伝送リソースを取得してよい。ネットワークデバイスがダイレクトリンク伝送リソースを伝送端に割り当てる前に、伝送端は、リソーススケジューリング要求情報またはトラフィック特徴付け情報をネットワークデバイスに送信してよく、その結果、ネットワークデバイスは、リソーススケジューリング要求情報またはトラフィック特徴付け情報に基づいて、ダイレクトリンク伝送リソースを伝送端に割り当てる。
【００４５】
任意選択的に、伝送端は、予め取得された伝送リソースプールからダイレクトリンク伝送リソースを取得してよい。伝送端は、ネットワークデバイスの専用無線リソース制御（ｒａｄｉｏ  ｒｅｓｏｕｒｃｅ  ｃｏｎｔｒｏｌ、ＲＲＣ）情報またはシステム情報（例えば、システム情報ブロック（Ｓｙｓｔｅｍ  Ｉｎｆｏｒｍａｔｉｏｎ  Ｂｌｏｃｋ、ＳＩＢ）ブロードキャスト情報）を受信することにより伝送リソースプールを取得してよく、または、予め構成された情報を用いて伝送リソースプールを取得してよい。
【００４６】
段階２０３：伝送端は、ダイレクトリンク伝送リソースを用いて第１直接通信データを送信し、ここで、第１直接通信データはフィードバック指示情報および送信方式指示情報を保持する。
【００４７】
フィードバック指示情報は、第１直接通信データに対して受信フィードバックが実行される必要があるかを表示するために用いられる。例えば、フィードバック指示情報は１ビットの指示情報であってよい。値が１の場合、それは、受信端が、第１直接通信データを受信した後に、フィードバック情報を保持する第２直接通信データを送信して、第１直接通信データが正確に受信されたかを表示する必要があることを表示する。値が０の場合、それは、第１直接通信データを受信した後に、受信端がフィードバックを送信する必要がないことを表示する。任意選択的に、フィードバック指示情報は、直接通信サービスデータがカプセル化された第１制御情報または第１ＭＡＣ  ＰＤＵに保持される。
【００４８】
送信方式指示情報は、ユニキャスト、マルチキャスト、またはブロードキャストのうち少なくとも１つの方式で第１直接通信データが送信されることを表示するために用いられる。任意選択的に、送信方式指示情報も、直接通信サービスデータがカプセル化された第１制御情報または第１ＭＡＣ  ＰＤＵに保持され、例えば、ＭＡＣ  ＰＤＵのヘッダに保持される。任意選択的に、送信にユニキャスト方式が用いられていることを送信方式指示情報が表示する場合、伝送端は、第１ＭＡＣ  ＰＤＵまたは第１制御情報にターゲット受信端のアドレスを追加する必要がある。
【００４９】
任意選択的に、第１直接通信データはさらにグループ識別子を保持し、受信端は、送信方式指示情報およびグループ識別子に基づいて第１直接通信データを受信する。グループ識別子は、現在送信されている第１直接通信データのグループを表示するために用いられる。例えば、グループ識別子１は、第１直接通信データが車両隊列グループ１からのものであることを表示する。任意選択的に、グループ識別子は、直接通信サービスデータがカプセル化された第１制御情報または第１ＭＡＣ  ＰＤＵに保持される。グループ識別子は、第１ＭＡＣ  ＰＤＵのヘッダに保持されてよく、または、第１ＭＡＣ  ＰＤＵの有効ペイロードに保持されてよい。
【００５０】
本願のこの実施形態において、送信方式指示情報およびグループ識別子を合成する方法が用いられ、その結果、直接通信データが送信され、より標的化された方式でフィードバックされ、ダイレクトリンクデータ伝送はより効率的に完了する。
【００５１】
任意選択的に、第１直接通信データはさらにフィードバックリソース指示情報を保持する。フィードバックリソース指示情報は、受信端が第１直接通信データを受信した後に、フィードバック情報を送信するために受信端により用いられるダイレクトリンクフィードバックリソースの時間周波数リソースを表示するために用いられる。
【００５２】
任意選択的に、伝送端は、代わりにメッセージを個別に送信して、受信端が第１直接通信データを受信した後にフィードバック情報を送信するために受信端により用いられるダイレクトリンクフィードバックリソースの時間周波数リソースを受信端に通知してよい。本発明はこれに限定されず、詳細はここで説明しない。
【００５３】
段階２０４：受信端は、ダイレクトリンク伝送リソースで、伝送端により送信された第１直接通信データを受信する。
【００５４】
具体的に、受信端は、ダイレクトリンク伝送リソースの第１制御リソースに対して、伝送端により送信された第１制御情報を受信し、第１制御情報に表示されるダイレクトリンクフィードバックリソースの時間周波数リソース位置に基づいて直接通信サービスデータを受信する。
【００５５】
任意選択的に、受信端は、グループ識別子に基づいて、伝送端のグループが、受信端が関心のあるグループであるかを判断し、受信端は、受信端が関心のあるグループにより送信された第１直接通信データのみを処理する。例えば、受信端は、受信端の車両隊列からの第１直接通信データのみを処理する。
【００５６】
段階２０５：第１直接通信データに対してフィードバックが実行される必要がある場合、受信端は、ダイレクトリンクフィードバックリソースで、第２直接通信データを伝送端に送信する。ここで、第２直接通信データはフィードバック情報を保持する。
【００５７】
任意選択的に、第２直接通信データは、第２制御情報および／または第２媒体アクセス制御プロトコルデータユニットを含み、フィードバック情報は、第２媒体アクセス制御プロトコルデータユニットまたは第２制御情報に保持される。
【００５８】
フィードバック指示情報が、第１直接通信データがフィードバックされる必要があることを表示する場合、受信端は、フィードバックのために、ダイレクトリンクフィードバックリソースで第２直接通信データを送信する必要がある。受信端は、第２直接通信データを送信するためにダイレクトリンクフィードバックリソースを取得する必要がある。任意選択的に、ダイレクトリンクフィードバックリソースは以下のいくつかの方式で取得されてよい。
【００５９】
第１の方式の場合、伝送端はダイレクトリンクフィードバックリソースを取得し、第１直接通信データに保持されるフィードバックリソース指示情報を用いて、ダイレクトリンクフィードバックリソースの位置情報を受信端に通知する。
【００６０】
任意選択的に、伝送端は、以下のいくつかの方式でダイレクトリンクフィードバックリソースを取得する。
【００６１】
（１）伝送端は、ネットワークデバイスからシステム情報または専用ＲＲＣシグナリングを受信することによりダイレクトリンクフィードバックリソースを取得する。
【００６２】
具体的に、伝送端は、フィードバックリソース要求情報をネットワークデバイスに送信してよい。ネットワークデバイスは、フィードバックリソース要求情報に基づいてダイレクトリンクフィードバックリソースを伝送端に割り当て、ＳＩＢまたは専用ＲＲＣシグナリングを用いてダイレクトリンクフィードバックリソースを伝送端に通知するか、または、ネットワークデバイスは、ＳＩＢまたは専用ＲＲＣシグナリングを用いてフィードバックリソースを伝送端に直接割り当ててよい。
【００６３】
（２）伝送端は、物理ダウンリンク制御チャネルで、ネットワークデバイスにより送信されるスケジューリングシグナリングを受信することにより、ダイレクトリンクフィードバックリソースを取得する。
【００６４】
（３）伝送端は、ネットワークデバイスにより構成されるまたは予め構成されたダイレクトリンクフィードバックリソースプールからダイレクトリンクフィードバックリソースを、自律的選択を通じて取得する。
【００６５】
具体的に、伝送端は、事前構成またはストレージを通じてフィードバックリソースプールを取得してよい。伝送端は、ネットワークデバイスからＳＩＢまたは専用ＲＲＣシグナリングを受信することによりフィードバックリソースプールを取得してよい。
【００６６】
第２の方式の場合、受信端はダイレクトリンクフィードバックリソースを取得する。
【００６７】
ダイレクトリンクフィードバックリソースは伝送端により取得されないので、伝送端により送信される第１直接通信データは、フィードバックリソース指示情報を保持しない。
【００６８】
任意選択的に、受信端はダイレクトリンクフィードバックリソースを、以下のいくつかの方式で取得する。
【００６９】
（１）受信端は、ネットワークデバイスからのシステム情報または専用ＲＲＣシグナリングを受信することによりダイレクトリンクフィードバックリソースを取得する。
【００７０】
具体的に、受信端は、フィードバックリソース要求情報をネットワークデバイスに送信してよい。ネットワークデバイスは、フィードバックリソース要求情報に基づいてダイレクトリンクフィードバックリソースを受信端に割り当て、ＳＩＢまたは専用ＲＲＣシグナリングを用いてダイレクトリンクフィードバックリソースを受信端に通知するか、または、ネットワークデバイスは、ＳＩＢまたは専用ＲＲＣシグナリングを用いてフィードバックリソースを受信端に直接割り当ててよい。
【００７１】
（２）受信端は、物理ダウンリンク制御チャネルで、ネットワークデバイスにより送信されるスケジューリングシグナリングを受信することにより、ダイレクトリンクフィードバックリソースを取得する。
【００７２】
（３）受信端は、ネットワークデバイスにより構成されまたは予め構成されるダイレクトリンクフィードバックリソースプールからのダイレクトリンクフィードバックリソースを、自律的選択を通じて取得する。
【００７３】
具体的に、受信端は、事前構成またはストレージを通じてフィードバックリソースプールを取得してよい。受信端は、ネットワークデバイスからのＳＩＢまたは専用ＲＲＣシグナリングを受信することによりフィードバックリソースプールを取得してよい。
【００７４】
（４）受信端は、ダイレクトリンク伝送リソース、およびダイレクトリンク伝送リソースとダイレクトリンクフィードバックリソースとの間の予め設定されたマッピング関係に基づいて、ダイレクトリンクフィードバックリソースを取得する。
【００７５】
このようにダイレクトリンクフィードバックリソースの時間周波数リソース位置は固定され、受信端は、ダイレクトリンク伝送リソースの時間周波数リソースを用いてダイレクトリンクフィードバックリソースの位置を直接推定してよい。例えば、フィードバックリソースと制御情報伝送リソースとの間に一意のマッピング関係が存在する場合、受信端は、伝送端により用いられる制御情報伝送リソースの位置、およびフィードバックリソースと制御情報伝送リソースとの間の一意のマッピング関係に基づいてフィードバックリソース位置を判断する。別の例で、代わりに多対１の関係がフィードバックリソースと制御情報伝送リソースとの間に存在し得る場合、受信端は、制御情報伝送リソースに対応する複数のフィードバックリソースから、時間周波数リソースを、使用されるダイレクトリンクフィードバックリソースとして選択する。ダイレクトリンクフィードバックリソースとダイレクトリンク伝送リソースとの間にも、マッピング関係があり得る。任意選択的に、このように、伝送端は、ダイレクトリンク伝送リソース、およびダイレクトリンク伝送リソースとダイレクトリンクフィードバックリソースとの間の予め設定されたマッピング関係に基づいて、ダイレクトリンクフィードバックリソースを代わりに取得してよい。
【００７６】
任意選択的に、伝送端は、受信端により用いられたフィードバックリソースが、送信された第１直接通信データに用いられているかを知ることができないので、伝送端はさらに、第２直接通信データのフィードバック情報に対応する第１直接通信データを識別するために、当該フィードバック情報に識別子を追加するように受信端に要求する。識別子は、伝送端の識別子または第１直接通信データの識別子であってよい。任意選択的に、伝送端の識別子または第１直接通信データの識別子は、送信された第１直接通信データに保持されてよく、受信端は、伝送端の識別子または第１直接通信データの識別子を、受信された第１直接通信データから取得する。
【００７７】
フィードバック指示情報に基づいて、フィードバックが必要とされていることを判断する場合、受信端は、対応するダイレクトリンクフィードバックリソースで第２直接通信データを送信し、ここで、第２直接通信データはフィードバック情報を保持する。具体的に、制御情報およびサービスデータの両方が正確に受信される場合、ＡＣＫはフィードバックされ、そうでない場合、ＮＡＣＫがフィードバックされる。
【００７８】
上記に説明されているように、ダイレクトリンクフィードバックリソースは、複数の方式で、且つ様々な方式に基づいて取得され、受信端は、以下のいくつかの方式でＡＣＫ／ＮＡＣＫフィードバック情報を送信する。
【００７９】
第１の方式の場合、伝送端は、第１直接通信データに保持されるフィードバックリソース指示情報を用いてダイレクトリンクフィードバックリソースの位置情報を受信端に通知し、受信端は、フィードバックリソース指示情報に表示される時間周波数リソース位置に基づいてダイレクトリンクフィードバックリソースの位置を判断し、ダイレクトリンクフィードバックリソースでフィードバック情報を送信する。
【００８０】
第２の方式の場合、受信端は、ダイレクトリンク伝送リソースの時間周波数リソースを用いてダイレクトリンクフィードバックリソースの位置を直接推定し、対応するダイレクトリンクフィードバックリソースでフィードバック情報を送信してよい。
【００８１】
第３の方式の場合、ネットワークデバイスにより割り当てられたダイレクトリンクフィードバックリソースを取得した後、受信端は、対応するフィードバックリソースに対してフィードバック情報を送信するか、またはフィードバックリソースプールからダイレクトリンクフィードバックリソースを取得した後、受信端は、対応するフィードバックリソースに対してフィードバック情報を送信する。
【００８２】
任意選択的に、段階２０６：伝送端は、受信端により送信されるフィードバック情報を受信し、フィードバック情報に基づいて、再伝送を開始するかを判断する。
【００８３】
本願のこの実施形態において、伝送端はネットワークデバイスからダイレクトリンク伝送リソースを取得し、伝送リソースを用いて第１直接通信データを送信する。第１直接通信データは伝送フィードバック指示を保持し、その結果、フィードバックが必要される場合、受信端は、伝送端または受信端により取得されるダイレクトリンクフィードバックリソースで、フィードバック情報を保持する第２直接通信データを送信し、それにより伝送信頼性を改善させる。加えて、本願のこの実施形態において、第１直接通信データはグループ識別子および送信方式指示情報を保持し、その結果、伝送端は、指定された送信方式（例えば、ユニキャスト及びマルチキャスト）に基づいて、より標的化された方式で、フィードバックが送信される必要があるかをグループ内の受信端に表示する。従って、伝送端は、フィードバック情報に基づいて、対応するグループ内の受信端がデータを正確に受信するかを判断してよい。このようにして、グループ分割および送信方式はより柔軟になり、リソーススケジューリングはより簡便になり、伝送信頼性はさらに改善される。
【００８４】
図３を参照すると、本願の実施形態は伝送端３００を提供する。伝送端３００は、ダイレクトリンク伝送リソースを取得するように構成されている処理ユニット３０１と、ダイレクトリンク伝送リソースを用いて第１直接通信データ（例えば、Ｖ２Ｘデータ）を受信端に送信するように構成されている送信ユニット３０２であって、ここで、第１直接通信データはフィードバック指示情報および送信方式指示情報を保持し、フィードバック指示情報は、第１直接通信データに対して受信フィードバックが実行される必要があるかを表示するために用いられ、送信方式指示情報は、第１直接通信データを送信する方式がユニキャスト、マルチキャスト、またはブロードキャストのうち少なくとも１つであることを表示するために用いられる、送信ユニットと３０２と、第１直接通信データに対してフィードバックが実行される必要があることをフィードバック指示情報が表示する場合、ダイレクトリンクフィードバックリソースで受信端により送信された第２直接通信データを受信するように構成されている受信ユニット３０３であって、ここで、第２直接通信データはフィードバック情報を保持する、受信ユニット３０３とを含む。
【００８５】
任意選択的に、第１直接通信データは、サービスデータがカプセル化された第１制御情報および第１媒体アクセス制御プロトコルデータユニットを含み、フィードバック指示情報および／または送信方式指示情報は、第１媒体アクセス制御プロトコルデータユニットまたは第１制御情報に保持される。第２直接通信データは、第２制御情報および／または第２媒体アクセス制御プロトコルデータユニットを含み、フィードバック情報は、第２媒体アクセス制御プロトコルデータユニットまたは第２制御情報に保持される。
【００８６】
任意選択的に、第１直接通信データはさらに、伝送端３００の現在のグループを識別するために用いられるグループ識別子を保持し、グループ識別子は、第１媒体アクセス制御プロトコルデータユニットまたは第１制御情報に保持される。
【００８７】
可能な実装において、処理ユニットはさらに、ダイレクトリンクフィードバックリソースを取得するように構成されている。
【００８８】
任意選択的に、処理ユニットはさらに、受信ユニットを用いてネットワークデバイスからシステム情報または専用無線リソース制御シグナリングを受信することにより、ダイレクトリンクフィードバックリソースを取得し、物理ダウンリンク制御チャネルでネットワークデバイスにより送信されたスケジューリングシグナリングを、受信ユニットを用いて受信することにより、ダイレクトリンクフィードバックリソースを取得し、ネットワークデバイスにより構成されまたは予め構成されたダイレクトリンクフィードバックリソースプールからのダイレクトリンクフィードバックリソースを、自律的選択を通じて取得し、または、ダイレクトリンク伝送リソース、およびダイレクトリンク伝送リソースとダイレクトリンクフィードバックリソースとの間の予め設定されたマッピング関係に基づいて、ダイレクトリンクフィードバックリソースを取得するように構成されている。
【００８９】
任意選択的に、直接通信データはさらに、ダイレクトリンクフィードバックリソースの時間周波数リソースを表示するために用いられるフィードバックリソース指示情報を保持する。任意選択的に、伝送端は、代わりにメッセージを個別に送信して、受信端が第１直接通信データを受信した後にフィードバック情報を送信するために受信端により用いられるダイレクトリンクフィードバックリソースの時間周波数リソースを受信端に通知してよい。本発明はこれに限定されず、詳細はここで説明しない。
【００９０】
任意選択的に、第１直接通信データはさらに識別子を保持し、識別子は、伝送端の識別子または第１直接通信データの識別子であり、フィードバック情報は当該識別子を含む。
【００９１】
本願のこの実施形態に提供されている伝送端３００は、上述の方法の実施形態において、伝送端の動作を実行してよいことに留意されたい。送信ユニット３０２は、上述の方法の実施形態において、伝送端の送信動作を実行するように構成されており、処理ユニット３０１は、上述の方法の実施形態において、取得および判断のような処理動作を実行するように構成されており、受信ユニット３０３は、上述の方法の実施形態において、伝送端の受信動作を実行するように構成されている。送信ユニット３０２および受信ユニット３０３は、送受信ユニットとして結合されてもよい。物理的実装において、送信ユニット３０２は伝送器であってよく、処理ユニット３０１はプロセッサであってよく、受信ユニット３０３は受信器であってよく、伝送器および受信器は送受信機として結合されてもよい。図４に示されるように、伝送端４００は、プロセッサ４０１、伝送器４０２、および受信器４０３を含む。プロセッサ４０１、伝送器４０２、および受信器４０３は、様々な電子回線インタフェース（例えば、バス）を用いて接続される。
【００９２】
本願のこの実施形態において、伝送端は、ネットワークデバイスからダイレクトリンク伝送リソースを取得し、伝送リソースを用いて第１直接通信データを送信する。第１直接通信データは伝送フィードバック指示を保持し、その結果、フィードバックが必要とされる場合、受信端は、取得されたダイレクトリンクフィードバックリソースで、フィードバック情報を保持する第２直接通信データを送信し、それにより伝送信頼性を改善させる。加えて、本願のこの実施形態において、直接通信データはグループ識別子および送信方式指示情報を保持し、その結果、伝送端は、指定された送信方式（例えば、ユニキャスト及びマルチキャスト）に基づいて、より標的化された方式で、グループ内の受信端にフィードバックが送信される必要があるかを表示する。このようにして、グループ分割および送信方式はより柔軟になり、リソーススケジューリングはより簡便になり、伝送信頼性はさらに改善される。
【００９３】
図５を参照すると、本願の実施形態は受信端５００を提供し、受信端５００は、ダイレクトリンク伝送リソースを用いて伝送端により送信される第１直接通信データ（例えば、Ｖ２Ｘデータ）を受信するように構成されている受信ユニット５０１であって、ここで、第１直接通信データは、フィードバック指示情報および送信方式指示情報を保持し、フィードバック指示情報は、第１直接通信データに対して受信フィードバックが実行される必要があるかを表示するために用いられ、送信方式指示情報は、第１直接通信データを送信する方式がユニキャスト、マルチキャスト、またはブロードキャストのうち少なくとも１つであることを表示するために用いられる、受信ユニット５０１と、直接通信データに対してフィードバックが実行される必要があることをフィードバック指示情報が表示する場合、ダイレクトリンクフィードバックリソースで、第２直接通信データを伝送端に送信するように構成されている送信ユニット５０２であって、ここで、第２直接通信データはフィードバック情報を保持する、送信ユニット５０２とを含む。
【００９４】
第１直接通信データおよび第２直接通信データに関連する内容および保持される情報については、上述の内容を参照されたい。ここでは詳細について説明しない。
【００９５】
可能な実装において、受信端はさらに、ダイレクトリンクフィードバックリソースを取得するように構成されている処理ユニット５０３を含む。
【００９６】
任意選択的に、処理ユニットはさらに、受信ユニットを用いてネットワークデバイスからシステム情報または専用無線リソース制御シグナリングを受信することによりダイレクトリンクフィードバックリソースを取得し、物理ダウンリンク制御チャネルでネットワークデバイスにより送信されたスケジューリングシグナリングを、受信ユニットを用いて受信することによりダイレクトリンクフィードバックリソースを取得し、ネットワークデバイスにより構成されまたは予め構成されたダイレクトリンクフィードバックリソースプールからダイレクトリンクフィードバックリソースを、自律的選択を通じて取得し、ダイレクトリンク伝送リソース、およびダイレクトリンク伝送リソースとダイレクトリンクフィードバックリソースとの間の予め設定されたマッピング関係に基づいてダイレクトリンクフィードバックリソースを取得し、または第１直接通信データに保持されるフィードバックリソース指示情報に基づいてダイレクトリンクフィードバックリソースを取得するように構成され、ここで、フィードバックリソース指示情報は、ダイレクトリンクフィードバックリソースの時間周波数リソースを表示するために用いられる。
【００９７】
本願のこの実施形態に提供されている受信端５００は、上述の方法の実施形態において、受信端の動作を実行してよいことに留意されたい。送信ユニット５０２は、上述の方法の実施形態において、受信端の送信動作を実行するように構成されており、処理ユニット５０３は、上述の方法の実施形態において、取得および判断のような処理動作を実行するように構成されており、受信ユニット５０１は、上述の方法の実施形態において、受信端の受信動作を実行するように構成されている。送信ユニット５０２および受信ユニット５０１は、送受信ユニットとして結合されてもよい。物理的実装において、送信ユニット５０２は伝送器であってよく、処理ユニット５０３はプロセッサであってよく、受信ユニット５０１は受信器であってよく、伝送器および受信器は送受信機として結合されてもよい。図６に示されるように、受信端６００は、プロセッサ６０３、受信器６０１、伝送器６０２を含む。プロセッサ６０１、伝送器６０２、および受信器６０３は、様々な電子回線インタフェース（例えば、バス）を用いて接続される。
【００９８】
本願のこの実施形態において、受信端は、ダイレクトリンク伝送リソースで、伝送端により送信される第１直接通信データを受信し、その結果、フィードバックが必要とされる場合、受信端は、取得されたダイレクトリンクフィードバックリソースでフィードバック情報を送信し、それにより伝送信頼性を改善させる。加えて、本願のこの実施形態において、第１直接通信データはグループ識別子および送信方式指示情報を保持し、その結果、受信端は、指定された送信方式（例えば、ユニキャスト及びマルチキャスト）に基づいて、より標的化された方式で、グループ内のデータを正確に受信する。このようにして、グループ分割および送信方式はより柔軟になり、リソーススケジューリングはより簡便になり、伝送信頼性はさらに改善される。
【００９９】
図７を参照すると、本願の実施形態はネットワークデバイス７００を提供する。ネットワークデバイス７００は、ダイレクトリンクフィードバックリソースの構成情報を生成するように構成されている処理ユニット７０１であって、ここで、ダイレクトリンクフィードバックリソースは、受信端が第１直接通信データを受信した後に、受信端が第２直接通信データを送信するために用いられ、第２通信データはフィードバック情報を保持し、第１直接通信データはフィードバック指示情報および送信方式指示情報を保持し、フィードバック指示情報は、第１直接通信データに対して受信フィードバックが実行される必要があるかを表示するために用いられ、送信方式指示情報は、第１直接通信データを送信する方式がユニキャスト、マルチキャスト、またはブロードキャストのうち少なくとも１つであることを表示するために用いられる、処理ユニット７０１と、ダイレクトリンクフィードバックリソースの構成情報を受信端または伝送端に送信するように構成されている送信ユニット７０２とを含む。
【０１００】
第１直接通信データおよび第２直接通信データに関連する内容および保持される情報は、上述の内容を参照されたい。ここでは詳細について説明しない。
【０１０１】
可能な実装において、送信ユニットはさらに、システム情報または専用無線リソース制御シグナリングを用いて、ダイレクトリンクフィードバックリソースの構成情報を、受信端または伝送端に送信するように構成されている、または、送信ユニットはさらに、物理ダウンリンク制御チャネルで、ダイレクトリンクフィードバックリソースの構成情報を、受信端または伝送端に送信するように構成されている。
【０１０２】
本願のこの実施形態に提供されているネットワークデバイス７００は、上述の方法の実施形態において、ネットワークデバイスの動作を実行してよいことに留意されたい。送信ユニット７０２は、上述の方法の実施形態において、伝送端の送信動作を実行するように構成されており、処理ユニット７０１は、上述の方法の実施形態において、取得および判断のような処理動作を実行するように構成されている。物理的実装において、送信ユニット７０２は伝送器であってよく、処理ユニット７０１はプロセッサであってよい。図８に示されるように、ネットワークデバイス８００は、プロセッサ８０１および伝送器８０２を含む。プロセッサ８０１および伝送器８０２は、様々な電子回線インタフェース（例えば、バス）を用いて接続される。
【０１０３】
本願のこの実施形態において、ネットワークデバイスはダイレクトリンク伝送リソースおよびフィードバックリソースを構成し、伝送端は、ダイレクトリンク伝送リソースを用いて第１直接通信データを送信する。直接通信データは伝送フィードバック指示を保持し、その結果、フィードバックが必要とされる場合、受信端は、取得されたダイレクトリンクフィードバックリソースで、フィードバック情報を保持する第２直接通信データを送信する。従って、フィードバックは伝送信頼性を改善させる。
【０１０４】
上述した実施形態の全てまたは一部は、ソフトウェア、ハードウェア、ファームウェア、またはそれらの任意の組み合わせにより実装され得る。ソフトウェアが実施形態の実装に用いられる場合、実施形態は、コンピュータプログラム製品の形態で完全にまたは部分的に実装され得る。コンピュータプログラム製品は、１つまたは複数のコンピュータ命令を含む。コンピュータプログラム命令がコンピュータにロードされて実行される場合、本発明の実施形態による手順または機能は全てまたは部分的に生成される。コンピュータは、汎用コンピュータ、専用コンピュータ、コンピュータネットワーク、または、別のプログラム可能な装置であり得る。コンピュータ命令はコンピュータ可読記憶媒体に記憶されてよく、コンピュータ可読記憶媒体から別のコンピュータ可読記憶媒体へ伝送され得る。例えば、コンピュータ命令は、あるウェブサイト、コンピュータ、サーバまたはデータセンターから、別のウェブサイト、コンピュータ、サーバまたはデータセンターへ、有線（例えば、同軸ケーブル、光ファイバ、または、デジタル加入者線（ＤＳＬ））または無線（例えば、赤外線、無線、または、マイクロ波）方式で伝送され得る。コンピュータ可読記憶媒体は、コンピュータによりアクセス可能な任意の使用可能な媒体、または、１つまたは複数の使用可能な媒体を統合するサーバまたはデータセンターのようなデータ記憶デバイスであり得る。使用可能な媒体は、磁気媒体（例えば、フロッピー（登録商標）ディスク、ハードディスク、または磁気テープ）、光媒体（例えば、ＤＶＤ）、半導体媒体（例えば、ソリッドステートディスクＳｏｌｉｄ  Ｓｔａｔｅ  Ｄｉｓｋ（ＳＳＤ））等であり得る。
【０１０５】
上述した説明は、単に本願の実施形態の例に過ぎず、本願を限定することを意図しているものではない。本願の主旨および原理から逸脱することなく行われるあらゆる修正、同等な置換、または改善は、本願の保護範囲に含まれるべきである。
【図１】
2020508597.tif 000003
【図２】
2020508597.tif 000004
【図３】
2020508597.tif 000005
【図４】
2020508597.tif 000006
【図５】
2020508597.tif 000007
【図６】
2020508597.tif 000008
【図７】
2020508597.tif 000009
【図８】
2020508597.tif 000010
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
情報フィードバック方法であって、
伝送端が、ダイレクトリンク伝送リソースを取得する段階と、
前記伝送端が、前記ダイレクトリンク伝送リソースを用いて第１直接通信データを受信端に送信する段階であって、前記第１直接通信データはフィードバック指示情報および送信方式指示情報を保持し、前記フィードバック指示情報は、前記第１直接通信データに対して受信フィードバックが実行される必要があるかを表示するために用いられ、前記送信方式指示情報は、前記第１直接通信データを送信する方式がユニキャスト、マルチキャスト、およびブロードキャストのうち少なくとも１つであることを表示するために用いられる、送信する段階と、
前記第１直接通信データに対してフィードバックが実行される必要があることを前記フィードバック指示情報が表示する場合、伝送端が、ダイレクトリンクフィードバックリソースで前記受信端により送信された第２直接通信データを受信する段階であって、前記第２直接通信データはフィードバック情報を保持する、受信する段階と
を備える方法。
【請求項２】
前記第１直接通信データは、サービスデータがカプセル化された第１制御情報および第１媒体アクセス制御プロトコルデータユニットを含み、前記フィードバック指示情報および／または前記送信方式指示情報は、前記第１媒体アクセス制御プロトコルデータユニットまたは前記第１制御情報に保持される、
請求項１に記載の方法。
【請求項３】
前記第２直接通信データは、第２制御情報および／または第２媒体アクセス制御プロトコルデータユニットを含み、前記フィードバック情報は、前記第２媒体アクセス制御プロトコルデータユニットまたは前記第２制御情報に保持される、
請求項１または２に記載の方法。
【請求項４】
情報フィードバック方法であって、
受信端が、ダイレクトリンク伝送リソースを用いて伝送端により送信された第１直接通信データを受信する段階であって、前記第１直接通信データは、フィードバック指示情報および送信方式指示情報を保持し、前記フィードバック指示情報は、前記第１直接通信データに対して受信フィードバックが実行される必要があるかを表示するために用いられ、前記送信方式指示情報は、前記第１直接通信データを送信する方式がユニキャスト、マルチキャスト、またはブロードキャストのうち少なくとも１つであることを表示するために用いられる、受信する段階と、
前記第１直接通信データに対してフィードバックが実行される必要があることを前記フィードバック指示情報が表示する場合、前記受信端が、ダイレクトリンクフィードバックリソースで、第２直接通信データを前記伝送端に送信する段階であって、前記第２直接通信データはフィードバック情報を保持する、送信する段階とを備える方法。
【請求項５】
前記第１直接通信データは、サービスデータがカプセル化された第１制御情報および第１媒体アクセス制御プロトコルデータユニットを含み、前記フィードバック指示情報および／または前記送信方式指示情報は、前記第１媒体アクセス制御プロトコルデータユニットまたは前記第１制御情報で保持される、請求項４に記載の方法。
【請求項６】
前記第２直接通信データは、第２制御情報および／または第２媒体アクセス制御プロトコルデータユニットを含み、前記フィードバック情報は、前記第２媒体アクセス制御プロトコルデータユニットまたは前記第２制御情報に保持される、請求項４または５に記載の方法。
【請求項７】
情報フィードバック方法であって、
ネットワークデバイスが、ダイレクトリンクフィードバックリソースの構成情報を生成する段階であって、前記ダイレクトリンクフィードバックリソースは、受信端が第１直接通信データを受信した後に、前記受信端が第２直接通信データを送信するために用いられ、前記第２直接通信データはフィードバック情報を保持し、前記第１直接通信データはフィードバック指示情報および送信方式指示情報を保持し、前記フィードバック指示情報は、前記第１直接通信データに対して受信フィードバックが実行される必要があるかを表示するために用いられ、前記送信方式指示情報は、前記第１直接通信データを送信する方式がユニキャスト、マルチキャスト、またはブロードキャストのうち少なくとも１つであることを表示するために用いられる、生成する段階と、
前記ネットワークデバイスが、前記ダイレクトリンクフィードバックリソースの前記構成情報を前記受信端または伝送端に送信する段階とを備える、
方法。
【請求項８】
前記第１直接通信データは、サービスデータがカプセル化された第１制御情報および第１媒体アクセス制御プロトコルデータユニットを含み、前記フィードバック指示情報および／または前記送信方式指示情報は、前記第１媒体アクセス制御プロトコルデータユニットまたは前記第１制御情報に保持される、請求項７に記載の方法。
【請求項９】
前記第２直接通信データは、第２制御情報および／または第２媒体アクセス制御プロトコルデータユニットを含み、前記フィードバック情報は、前記第２媒体アクセス制御プロトコルデータユニットまたは前記第２制御情報に保持される、請求項７または８に記載の方法。
【請求項１０】
伝送端であって、
ダイレクトリンク伝送リソースを取得するように構成されている処理ユニットと、
前記ダイレクトリンク伝送リソースを用いて第１直接通信データを受信端に送信するように構成されている送信ユニットであって、前記第１直接通信データはフィードバック指示情報および送信方式指示情報を保持し、前記フィードバック指示情報は、前記第１直接通信データに対して受信フィードバックが実行される必要があるかを表示するために用いられ、前記送信方式指示情報は、前記第１直接通信データを送信する方式がユニキャスト、マルチキャスト、またはブロードキャストのうち少なくとも１つであることを表示するために用いられる、送信ユニットと、
前記第１直接通信データに対してフィードバックが実行される必要があることを前記フィードバック指示情報が表示する場合、ダイレクトリンクフィードバックリソースで前記受信端により送信された第２直接通信データを受信するように構成されている受信ユニットであって、前記第２直接通信データはフィードバック情報を保持する受信ユニットと
を備える伝送端。
【請求項１１】
前記第１直接通信データは、サービスデータがカプセル化された第１制御情報および第１媒体アクセス制御プロトコルデータユニットを含み、前記フィードバック指示情報および／または前記送信方式指示情報は、前記第１媒体アクセス制御プロトコルデータユニットまたは前記第１制御情報に保持される、請求項１０に記載の伝送端。
【請求項１２】
前記第２直接通信データは、第２制御情報および／または第２媒体アクセス制御プロトコルデータユニットを含み、前記フィードバック情報は、前記第２媒体アクセス制御プロトコルデータユニットまたは前記第２制御情報に保持される、請求項１０または１１に記載の伝送端。
【請求項１３】
受信端であって、
ダイレクトリンク伝送リソースを用いて伝送端により送信される第１直接通信データを受信するように構成されている受信ユニットであって、前記第１直接通信データは、フィードバック指示情報および送信方式指示情報を保持し、前記フィードバック指示情報は、前記第１直接通信データに対して受信フィードバックが実行される必要があるかを表示するために用いられ、前記送信方式指示情報は、前記第１直接通信データを送信する方式がユニキャスト、マルチキャスト、またはブロードキャストのうち少なくとも１つであることを表示するために用いられる、受信ユニットと、
前記第１直接通信データに対してフィードバックが実行される必要があることを前記フィードバック指示情報が表示する場合、ダイレクトリンクフィードバックリソースで、第２直接通信データを前記伝送端に送信するように構成されている送信ユニットであって、前記第２直接通信データはフィードバック情報を保持する、送信ユニットと
を備える受信端。
【請求項１４】
前記第１直接通信データは、サービスデータがカプセル化された第１制御情報および第１媒体アクセス制御プロトコルデータユニットを含み、前記フィードバック指示情報および／または前記送信方式指示情報は、前記第１媒体アクセス制御プロトコルデータユニットまたは前記第１制御情報に保持される、請求項１３に記載の受信端。
【請求項１５】
前記第２直接通信データは、第２制御情報および／または第２媒体アクセス制御プロトコルデータユニットを含み、前記フィードバック情報は、前記第２媒体アクセス制御プロトコルデータユニットまたは前記第２制御情報に保持される、請求項１３または１４に記載の受信端。
【請求項１６】
ネットワークデバイスであって、
ダイレクトリンクフィードバックリソースの構成情報を生成するように構成されている処理ユニットであって、前記ダイレクトリンクフィードバックリソースは、受信端が第１直接通信データを受信した後に、前記受信端が第２直接通信データを送信するために用いられ、前記第２直接通信データはフィードバック情報を保持し、前記第１直接通信データはフィードバック指示情報および送信方式指示情報を保持し、前記フィードバック指示情報は、前記第１直接通信データに対して受信フィードバックが実行される必要があるかを表示するために用いられ、前記送信方式指示情報は、前記第１直接通信データを送信する方式がユニキャスト、マルチキャスト、またはブロードキャストのうち少なくとも１つであることを表示するために用いられる、処理ユニットと、
前記ダイレクトリンクフィードバックリソースの前記構成情報を前記受信端または伝送端に送信するように構成されている送信ユニットと
を備えるネットワークデバイス。
【請求項１７】
前記第１直接通信データは、サービスデータがカプセル化された第１制御情報および第１媒体アクセス制御プロトコルデータユニットを含み、前記フィードバック指示情報および／または前記送信方式指示情報は、前記第１媒体アクセス制御プロトコルデータユニットまたは前記第１制御情報に保持される、請求項１６に記載のネットワークデバイス。
【請求項１８】
前記第２直接通信データは、第２制御情報および／または第２媒体アクセス制御プロトコルデータユニットを含み、前記フィードバック情報は、前記第２媒体アクセス制御プロトコルデータユニットまたは前記第２制御情報に保持される、請求項１６または１７に記載のネットワークデバイス。
【請求項１９】
コンピュータに、請求項１から９のいずれか一項に記載の方法を実行させるためのコンピュータプログラム。
【手続補正２】
【補正対象書類名】明細書
【補正対象項目名】０００３
【補正方法】変更
【補正の内容】
【０００３】
現在、車両はビークルツービークル（Ｖｅｈｉｃｌｅ  ｔｏ  Ｖｅｈｉｃｌｅ、Ｖ２Ｖ）通信、またはビークルツーインフラストラクチャ（Ｖｅｈｉｃｌｅ  ｔｏ  Ｉｎｆｒａｓｔｒｕｃｔｕｒｅ、Ｖ２Ｉ）通信、またはビークルツーペデストリアン（Ｖｅｈｉｃｌｅ  ｔｏ  Ｐｅｄｅｓｔｒｉａｎ、Ｖ２Ｐ）通信、またはビークルツーネットワーク（Ｖｅｈｉｃｌｅ  ｔｏ  Ｎｅｔｗｏｒｋ、Ｖ２Ｎ）通信を通じて、道路状況情報を取得するか情報サービスをすぐに受信し得る。これらの通信方式は、Ｖ２Ｘ通信（ここで、Ｘは任意の対象を表示する）として総じて称されてよい。最も一般的なＶ２ＶおよびＶ２Ｉが例として用いられる。Ｖ２Ｖ通信を実行する場合、車両は、車両の速度、運転方向、特定の位置、および非常ブレーキを踏んだか否かといった情報を周辺の車両にブロードキャストしてよい。ドライバは、これらのタイプの情報を取得することにより、視野外の交通状態をより良好に感知し、危険を予め判断し避けることができる。Ｖ２Ｉ通信においては、上述の安全情報の交換に加えて、インフラストラクチャはさらに、様々なサービス情報およびデータネットワークアクセスを車両に提供してよく、自動料金収受、および車載用エンターテインメントのような機能は全て、交通インテリジェンスを大幅に改善する。Ｖ２Ｘ通信に用いられるネットワークは、インターネットオブビークル（Ｉｎｔｅｒｎｅｔ  ｏｆ  ｖｅｈｉｃｌｅｓ、ＩｏＶ）と称される。
【手続補正３】
【補正対象書類名】明細書
【補正対象項目名】００４８
【補正方法】変更
【補正の内容】
【００４８】
送信方式指示情報は、ユニキャスト、マルチキャスト、またはブロードキャストのうち少なくとも１つの方式で第１直接通信データが送信されることを表示するために用いられる。任意選択的に、送信方式指示情報も、直接通信サービスデータがカプセル化された第１制御情報または第１ＭＡＣ  ＰＤＵに保持され、例えば、第１ＭＡＣ  ＰＤＵのヘッダに保持される。任意選択的に、送信にユニキャスト方式が用いられていることを送信方式指示情報が表示する場合、伝送端は、第１ＭＡＣ  ＰＤＵまたは第１制御情報にターゲット受信端のアドレスを追加する必要がある。
【手続補正４】
【補正対象書類名】明細書
【補正対象項目名】００９９
【補正方法】変更
【補正の内容】
【００９９】
図７を参照すると、本願の実施形態はネットワークデバイス７００を提供する。ネットワークデバイス７００は、ダイレクトリンクフィードバックリソースの構成情報を生成するように構成されている処理ユニット７０１であって、ここで、ダイレクトリンクフィードバックリソースは、受信端が第１直接通信データを受信した後に、受信端が第２直接通信データを送信するために用いられ、第２直接通信データはフィードバック情報を保持し、第１直接通信データはフィードバック指示情報および送信方式指示情報を保持し、フィードバック指示情報は、第１直接通信データに対して受信フィードバックが実行される必要があるかを表示するために用いられ、送信方式指示情報は、第１直接通信データを送信する方式がユニキャスト、マルチキャスト、またはブロードキャストのうち少なくとも１つであることを表示するために用いられる、処理ユニット７０１と、ダイレクトリンクフィードバックリソースの構成情報を受信端または伝送端に送信するように構成されている送信ユニット７０２とを含む。
【手続補正５】
【補正対象書類名】明細書
【補正対象項目名】０１０４
【補正方法】変更
【補正の内容】
【０１０４】
上述した実施形態の全てまたは一部は、ソフトウェア、ハードウェア、ファームウェア、またはそれらの任意の組み合わせにより実装され得る。ソフトウェアが実施形態の実装に用いられる場合、実施形態は、コンピュータプログラム製品の形態で完全にまたは部分的に実装され得る。コンピュータプログラム製品は、１つまたは複数のコンピュータ命令を含む。コンピュータプログラム命令がコンピュータにロードされて実行される場合、本発明の実施形態による手順または機能は全てまたは部分的に生成される。コンピュータは、汎用コンピュータ、専用コンピュータ、コンピュータネットワーク、または、別のプログラム可能な装置であり得る。コンピュータ命令はコンピュータ可読記憶媒体に記憶されてよく、コンピュータ可読記憶媒体から別のコンピュータ可読記憶媒体へ伝送され得る。例えば、コンピュータ命令は、あるウェブサイト、コンピュータ、サーバまたはデータセンターから、別のウェブサイト、コンピュータ、サーバまたはデータセンターへ、有線（例えば、同軸ケーブル、光ファイバ、または、デジタル加入者線（ＤＳＬ））または無線（例えば、赤外線、無線、または、マイクロ波）方式で伝送され得る。コンピュータ可読記憶媒体は、コンピュータによりアクセス可能な任意の使用可能な媒体、または、１つまたは複数の使用可能な媒体を統合するサーバまたはデータセンターのようなデータ記憶デバイスであり得る。使用可能な媒体は、磁気媒体（例えば、フロッピー（登録商標）ディスク、ハードディスク、または磁気テープ）、光媒体（例えば、ＤＶＤ）、半導体媒体（例えば、ソリッドステートディスク（Ｓｏｌｉｄ  Ｓｔａｔｅ  Ｄｉｓｋ、ＳＳＤ））等であり得る。
【手続補正６】
【補正対象書類名】明細書
【補正対象項目名】０１０５
【補正方法】変更
【補正の内容】
【０１０５】
上述した説明は、単に本願の実施形態の例に過ぎず、本願を限定することを意図しているものではない。本願の主旨および原理から逸脱することなく行われるあらゆる修正、同等な置換、または改善は、本願の保護範囲に含まれるべきである。
（項目１）
情報フィードバック方法であって、
伝送端が、ダイレクトリンク伝送リソースを取得する段階と、
上記伝送端が、上記ダイレクトリンク伝送リソースを用いて第１直接通信データを受信端に送信する段階であって、上記第１直接通信データはフィードバック指示情報および送信方式指示情報を保持し、上記フィードバック指示情報は、上記第１直接通信データに対して受信フィードバックが実行される必要があるかを表示するために用いられ、上記送信方式指示情報は、上記第１直接通信データを送信する方式がユニキャスト、マルチキャスト、およびブロードキャストのうち少なくとも１つであることを表示するために用いられる、送信する段階と、
上記第１直接通信データに対してフィードバックが実行される必要があることを上記フィードバック指示情報が表示する場合、伝送端が、ダイレクトリンクフィードバックリソースで上記受信端により送信された第２直接通信データを受信する段階であって、上記第２直接通信データはフィードバック情報を保持する、受信する段階と
を備える方法。
（項目２）
上記第１直接通信データは、サービスデータがカプセル化された第１制御情報および第１媒体アクセス制御プロトコルデータユニットを含み、上記フィードバック指示情報および／または上記送信方式指示情報は、上記第１媒体アクセス制御プロトコルデータユニットまたは上記第１制御情報に保持される、
項目１に記載の方法。
（項目３）
上記第２直接通信データは、第２制御情報および／または第２媒体アクセス制御プロトコルデータユニットを含み、上記フィードバック情報は、上記第２媒体アクセス制御プロトコルデータユニットまたは上記第２制御情報に保持される、
項目１または２に記載の方法。
（項目４）
上記第１直接通信データはさらに、上記伝送端の現在のグループを識別するために用いられる第１の識別子を保持し、上記第１の識別子は、上記第１媒体アクセス制御プロトコルデータユニットまたは上記第１制御情報に保持される、項目２または３に記載の方法。
（項目５）
上記方法はさらに、上記伝送端が上記ダイレクトリンクフィードバックリソースを取得する段階を備える、
項目１から４のいずれか一項に記載の方法。
（項目６）
上記伝送端が、上記伝送端で、上記ダイレクトリンクフィードバックリソースを取得する上記段階は、
上記伝送端が、ネットワークデバイスから受信されるシステム情報または専用無線リソース制御シグナリングに基づいて、上記ダイレクトリンクフィードバックリソースを取得する段階と、
上記伝送端が、物理ダウンリンク制御チャネルで、上記ネットワークデバイスにより送信されるスケジューリングシグナリングを受信することで、上記ダイレクトリンクフィードバックリソースを取得する段階と、
上記伝送端が、上記ネットワークデバイスにより構成されまたは予め構成されたダイレクトリンクフィードバックリソースプールから、上記ダイレクトリンクフィードバックリソースを、自律的選択を通じて取得する段階と、
上記伝送端が、上記ダイレクトリンク伝送リソース、および上記ダイレクトリンク伝送リソースと上記ダイレクトリンクフィードバックリソースとの間の予め設定されたマッピング関係に基づいて、上記ダイレクトリンクフィードバックリソースを取得する段階とのうちいずれか１つの方式で行われる、
項目５に記載の方法。
（項目７）
上記第１直接通信データはさらに、上記ダイレクトリンクフィードバックリソースの時間周波数リソースを表示するために用いられるフィードバックリソース指示情報を保持する、項目１から６のいずれか一項に記載の方法。
（項目８）
上記第１直接通信データはさらに第２識別子を保持し、上記第２識別子は、上記伝送端の識別子または上記第１直接通信データの識別子であり、上記フィードバック情報は上記第２識別子を含む、項目１から７のいずれか一項に記載の方法。
（項目９）
情報フィードバック方法であって、
受信端が、ダイレクトリンク伝送リソースを用いて伝送端により送信された第１直接通信データを受信する段階であって、上記第１直接通信データは、フィードバック指示情報および送信方式指示情報を保持し、上記フィードバック指示情報は、上記第１直接通信データに対して受信フィードバックが実行される必要があるかを表示するために用いられ、上記送信方式指示情報は、上記第１直接通信データを送信する方式がユニキャスト、マルチキャスト、またはブロードキャストのうち少なくとも１つであることを表示するために用いられる、受信する段階と、
上記第１直接通信データに対してフィードバックが実行される必要があることを上記フィードバック指示情報が表示する場合、上記受信端が、ダイレクトリンクフィードバックリソースで、第２直接通信データを上記伝送端に送信する段階であって、上記第２直接通信データはフィードバック情報を保持する、送信する段階とを備える方法。
（項目１０）
上記第１直接通信データは、サービスデータがカプセル化された第１制御情報および第１媒体アクセス制御プロトコルデータユニットを含み、上記フィードバック指示情報および／または上記送信方式指示情報は、上記第１媒体アクセス制御プロトコルデータユニットまたは上記第１制御情報で保持される、項目９に記載の方法。
（項目１１）
上記第２直接通信データは、第２制御情報および／または第２媒体アクセス制御プロトコルデータユニットを含み、上記フィードバック情報は、上記第２媒体アクセス制御プロトコルデータユニットまたは上記第２制御情報に保持される、項目９または１０に記載の方法。
（項目１２）
上記第１直接通信データはさらに、上記受信端の現在のグループを識別するために用いられる第１の識別子を保持し、上記受信端は、上記送信方式指示情報および上記第１の識別子に基づいて上記第１直接通信データを受信する、項目１０または１１に記載の方法。
（項目１３）
上記第１の識別子は、上記第１媒体アクセス制御プロトコルデータユニットまたは上記第１制御情報に保持される、項目１２に記載の方法。
（項目１４）
上記方法はさらに、上記受信端が上記ダイレクトリンクフィードバックリソースを取得する段階を備える、
項目９から１３のいずれか一項に記載の方法。
（項目１５）
上記受信端が、上記受信端で、上記ダイレクトリンクフィードバックリソースを取得する上記段階は、
上記受信端が、ネットワークデバイスからシステム情報または専用無線リソース制御シグナリングを受信することにより上記ダイレクトリンクフィードバックリソースを取得する段階と、
上記受信端が、物理ダウンリンク制御チャネルで上記ネットワークデバイスにより送信されたスケジューリングシグナリングを受信することにより上記ダイレクトリンクフィードバックリソースを取得する段階と、
上記受信端が、上記ネットワークデバイスにより構成されまたは予め構成されたダイレクトリンクフィードバックリソースプールから上記ダイレクトリンクフィードバックリソースを、自律的選択を通じて取得する段階と、
上記受信端が、上記ダイレクトリンク伝送リソース、および上記ダイレクトリンク伝送リソースと上記ダイレクトリンクフィードバックリソースとの間の予め設定されたマッピング関係に基づいて上記ダイレクトリンクフィードバックリソースを取得する段階と、
上記受信端が、上記第１直接通信データに保持されるフィードバックリソース指示情報に基づいて上記ダイレクトリンクフィードバックリソースを取得する段階であって、上記フィードバックリソース指示情報は、上記ダイレクトリンクフィードバックリソースの時間周波数リソースを表示するために用いられる、取得する段階と
のうちいずれか１つの方式で行われる、項目１４に記載の方法。
（項目１６）
上記第１直接通信データはさらに第２識別子を保持し、上記第２識別子は上記伝送端の識別子または上記第１直接通信データの識別子であり、上記フィードバック情報は上記第２識別子を含む
項目９から１５のいずれか一項に記載の方法。
（項目１７）
情報フィードバック方法であって、
ネットワークデバイスが、ダイレクトリンクフィードバックリソースの構成情報を生成する段階であって、上記ダイレクトリンクフィードバックリソースは、受信端が第１直接通信データを受信した後に、上記受信端が第２直接通信データを送信するために用いられ、上記第２直接通信データはフィードバック情報を保持し、上記第１直接通信データはフィードバック指示情報および送信方式指示情報を保持し、上記フィードバック指示情報は、上記第１直接通信データに対して受信フィードバックが実行される必要があるかを表示するために用いられ、上記送信方式指示情報は、上記第１直接通信データを送信する方式がユニキャスト、マルチキャスト、またはブロードキャストのうち少なくとも１つであることを表示するために用いられる、生成する段階と、
上記ネットワークデバイスが、上記ダイレクトリンクフィードバックリソースの上記構成情報を上記受信端または伝送端に送信する段階とを備える、
方法。
（項目１８）
上記第１直接通信データは、サービスデータがカプセル化された第１制御情報および第１媒体アクセス制御プロトコルデータユニットを含み、上記フィードバック指示情報および／または上記送信方式指示情報は、上記第１媒体アクセス制御プロトコルデータユニットまたは上記第１制御情報に保持される、項目１７に記載の方法。
（項目１９）
上記第２直接通信データは、第２制御情報および／または第２媒体アクセス制御プロトコルデータユニットを含み、上記フィードバック情報は、上記第２媒体アクセス制御プロトコルデータユニットまたは上記第２制御情報に保持される、項目１７または１８に記載の方法。
（項目２０）
上記ネットワークデバイスが、上記ダイレクトリンクフィードバックリソースの上記構成情報を上記受信端または伝送端に送信する上記段階はさらに、
上記ネットワークデバイスが、システム情報または専用無線リソース制御シグナリングを用いて、上記ダイレクトリンクフィードバックリソースの上記構成情報を、上記受信端または上記伝送端に送信する段階、または
上記ネットワークデバイスが、物理ダウンリンク制御チャネルで、上記ダイレクトリンクフィードバックリソースの上記構成情報を、上記受信端または上記伝送端に送信する段階を備える、項目１７から１９のいずれか一項に記載の方法。
（項目２１）
伝送端であって、
ダイレクトリンク伝送リソースを取得するように構成されている処理ユニットと、
上記ダイレクトリンク伝送リソースを用いて第１直接通信データを受信端に送信するように構成されている送信ユニットであって、上記第１直接通信データはフィードバック指示情報および送信方式指示情報を保持し、上記フィードバック指示情報は、上記第１直接通信データに対して受信フィードバックが実行される必要があるかを表示するために用いられ、上記送信方式指示情報は、上記第１直接通信データを送信する方式がユニキャスト、マルチキャスト、またはブロードキャストのうち少なくとも１つであることを表示するために用いられる、送信ユニットと、
上記第１直接通信データに対してフィードバックが実行される必要があることを上記フィードバック指示情報が表示する場合、ダイレクトリンクフィードバックリソースで上記受信端により送信された第２直接通信データを受信するように構成されている受信ユニットであって、上記第２直接通信データはフィードバック情報を保持する受信ユニットと
を備える伝送端。
（項目２２）
上記第１直接通信データは、サービスデータがカプセル化された第１制御情報および第１媒体アクセス制御プロトコルデータユニットを含み、上記フィードバック指示情報および／または上記送信方式指示情報は、上記第１媒体アクセス制御プロトコルデータユニットまたは上記第１制御情報に保持される、項目２１に記載の伝送端。
（項目２３）
上記第２直接通信データは、第２制御情報および／または第２媒体アクセス制御プロトコルデータユニットを含み、上記フィードバック情報は、上記第２媒体アクセス制御プロトコルデータユニットまたは上記第２制御情報に保持される、項目２１または２２に記載の伝送端。
（項目２４）
上記第１直接通信データはさらに、上記伝送端の現在のグループを識別するために用いられる第１の識別子を保持し、上記第１の識別子は、上記第１媒体アクセス制御プロトコルデータユニットまたは上記第１制御情報に保持される、項目２２または２３に記載の伝送端。
（項目２５）
上記処理ユニットはさらに、上記ダイレクトリンクフィードバックリソースを取得するように構成されている、項目２１から２４のいずれか一項に記載の伝送端。
（項目２６）
上記処理ユニットはさらに、
上記受信ユニットを用いてネットワークデバイスからシステム情報または専用無線リソース制御シグナリングを受信することにより、上記ダイレクトリンクフィードバックリソースを取得する段階と、
物理ダウンリンク制御チャネルで上記ネットワークデバイスにより送信されたスケジューリングシグナリングを、上記受信ユニットを用いて受信することにより、上記ダイレクトリンクフィードバックリソースを取得する段階と、
上記ネットワークデバイスにより構成されまたは予め構成されたダイレクトリンクフィードバックリソースプールからの上記ダイレクトリンクフィードバックリソースを、自律的選択を通じて取得する段階と、
上記ダイレクトリンク伝送リソース、および上記ダイレクトリンク伝送リソースと上記ダイレクトリンクフィードバックリソースとの間の予め設定されたマッピング関係に基づいて、上記ダイレクトリンクフィードバックリソースを取得する段階と
のうちいずれか１つの方式で上記ダイレクトリンクフィードバックリソースを取得するように構成されている、項目２５に記載の伝送端。
（項目２７）
上記第１直接通信データはさらに、上記ダイレクトリンクフィードバックリソースの時間周波数リソースを表示するために用いられるフィードバックリソース指示情報を保持する、項目２１から２６のいずれか一項に記載の伝送端。
（項目２８）
上記第１直接通信データはさらに第２識別子を保持し、上記第２識別子は、上記伝送端の識別子または上記直接通信データの識別子であり、上記フィードバック情報は上記第２識別子を含む、項目２１から２７のいずれか一項に記載の伝送端。
（項目２９）
受信端であって、
ダイレクトリンク伝送リソースを用いて伝送端により送信される第１直接通信データを受信するように構成されている受信ユニットであって、上記第１直接通信データは、フィードバック指示情報および送信方式指示情報を保持し、上記フィードバック指示情報は、上記第１直接通信データに対して受信フィードバックが実行される必要があるかを表示するために用いられ、上記送信方式指示情報は、上記第１直接通信データを送信する方式がユニキャスト、マルチキャスト、またはブロードキャストのうち少なくとも１つであることを表示するために用いられる、受信ユニットと、
上記第１直接通信データに対してフィードバックが実行される必要があることを上記フィードバック指示情報が表示する場合、ダイレクトリンクフィードバックリソースで、第２直接通信データを上記伝送端に送信するように構成されている送信ユニットであって、上記第２直接通信データはフィードバック情報を保持する、送信ユニットと
を備える受信端。
（項目３０）
上記第１直接通信データは、サービスデータがカプセル化された第１制御情報および第１媒体アクセス制御プロトコルデータユニットを含み、上記フィードバック指示情報および／または上記送信方式指示情報は、上記第１媒体アクセス制御プロトコルデータユニットまたは上記第１制御情報に保持される、項目２９に記載の受信端。
（項目３１）
上記第２直接通信データは、第２制御情報および／または第２媒体アクセス制御プロトコルデータユニットを含み、上記フィードバック情報は、上記第２媒体アクセス制御プロトコルデータユニットまたは上記第２制御情報に保持される、項目２９または３０に記載の受信端。
（項目３２）
上記第１直接通信データはさらに、上記受信端の現在のグループを識別するために用いられる第１の識別子を保持し、上記受信ユニットは、上記送信方式指示情報および上記第１の識別子に基づいて上記第１直接通信データを受信する、項目３０または３１に記載の受信端。
（項目３３）
上記第１の識別子は、上記第１媒体アクセス制御プロトコルデータユニットまたは上記第１制御情報に保持される、項目３２に記載の受信端。
（項目３４）
上記受信端はさらに、上記ダイレクトリンクフィードバックリソースを取得するように構成されている処理ユニットを備える、項目２９から３３のいずれか一項に記載の受信端。
（項目３５）
上記処理ユニットはさらに、
上記受信ユニットを用いてネットワークデバイスからシステム情報または専用無線リソース制御シグナリングを受信することにより上記ダイレクトリンクフィードバックリソースを取得する段階と、
物理ダウンリンク制御チャネルで上記ネットワークデバイスにより送信されたスケジューリングシグナリングを、上記受信ユニットを用いて受信することにより上記ダイレクトリンクフィードバックリソースを取得する段階と、
上記ネットワークデバイスにより構成されまたは予め構成されたダイレクトリンクフィードバックリソースプールから上記ダイレクトリンクフィードバックリソースを、自律的選択を通じて取得する段階と、
上記ダイレクトリンク伝送リソース、および上記ダイレクトリンク伝送リソースと上記ダイレクトリンクフィードバックリソースとの間の予め設定されたマッピング関係に基づいて上記ダイレクトリンクフィードバックリソースを取得する段階と、
上記第１直接通信データに保持されるフィードバックリソース指示情報に基づいて上記ダイレクトリンクフィードバックリソースを取得する段階であって、上記フィードバックリソース指示情報は、上記ダイレクトリンクフィードバックリソースの時間周波数リソースを表示するために用いられる、取得する段階と
のうちいずれか１つの方式で上記ダイレクトリンクフィードバックリソースを取得するように構成されている、項目３４に記載の受信端。
（項目３６）
上記第１直接通信データはさらに第２識別子を保持し、上記第２識別子は、上記伝送端の識別子または上記第１直接通信データの識別子であり、上記フィードバック情報は上記第２識別子を含む、項目２９から３５のいずれか一項に記載の受信端。
（項目３７）
ネットワークデバイスであって、
ダイレクトリンクフィードバックリソースの構成情報を生成するように構成されている処理ユニットであって、上記ダイレクトリンクフィードバックリソースは、受信端が第１直接通信データを受信した後に、上記受信端が第２直接通信データを送信するために用いられ、上記第２通信データはフィードバック情報を保持し、上記第１直接通信データはフィードバック指示情報および送信方式指示情報を保持し、上記フィードバック指示情報は、上記第１直接通信データに対して受信フィードバックが実行される必要があるかを表示するために用いられ、上記送信方式指示情報は、上記第１直接通信データを送信する方式がユニキャスト、マルチキャスト、またはブロードキャストのうち少なくとも１つであることを表示するために用いられる、処理ユニットと、
上記ダイレクトリンクフィードバックリソースの上記構成情報を上記受信端または伝送端に送信するように構成されている送信ユニットと
を備えるネットワークデバイス。
（項目３８）
上記第１直接通信データは、サービスデータがカプセル化された第１制御情報および第１媒体アクセス制御プロトコルデータユニットを含み、上記フィードバック指示情報および／または上記送信方式指示情報は、上記第１媒体アクセス制御プロトコルデータユニットまたは上記第１制御情報に保持される、項目３７に記載のネットワークデバイス。
（項目３９）
上記第２直接通信データは、第２制御情報および／または第２媒体アクセス制御プロトコルデータユニットを含み、上記フィードバック情報は、上記第２媒体アクセス制御プロトコルデータユニットまたは上記第２制御情報に保持される、項目３７または３８に記載のネットワークデバイス。
（項目４０）
上記送信ユニットはさらに、システム情報または専用無線リソース制御シグナリングを用いて、上記ダイレクトリンクフィードバックリソースの上記構成情報を、上記受信端または上記伝送端に送信するように構成されている、または
上記送信ユニットはさらに、物理ダウンリンク制御チャネルで、上記ダイレクトリンクフィードバックリソースの上記構成情報を、上記受信端または上記伝送端に送信するように構成されている
項目３７から３９のいずれか一項に記載のネットワークデバイス。
（項目４１）
コンピュータで実行される場合、上記コンピュータが項目１から２０のいずれか一項に記載の方法を実行することを可能にする命令を備える、コンピュータ可読記憶媒体。
【国際調査報告】
2020508597.tif 000011
2020508597.tif 000012
2020508597.tif 000013
2020508597.tif 000014